(57)【要約】【課題】特定の利用者に対して、特設されたウェブページへのアクセスをさせてウェブサービスを公平に提供する。【解決手段】管理サーバのウェブサービス管理部は、携帯端末からのウェブアクセス情報を用いたウェブページへのアクセス要求を受け付け、上記ウェブアクセス情報を用いたアクセス回数が所定の回数以下である場合には、上記携帯端末のアクセス要求に対し第１のウェブサービスを提供し、上記ウェブアクセス情報を用いた上記アクセス回数が上記所定の回数より多い場合には、上記携帯端末のアクセス要求に対し第２のウェブサービスを提供する。【選択図】図１
2014167757.tif 000002
【特許請求の範囲】
【請求項１】
画像提供装置と管理サーバとがネットワークを介して接続されていることによって構成されている情報管理システムにおいて、
上記画像提供装置は、
被写体を撮影する撮影部と、
上記撮影を行ったことに対応して、ユニークな撮影ＩＤを生成する撮影ＩＤ生成部と、
利用者が有する携帯端末へアクセスするための携帯端末アクセス情報の入力を受け付ける携帯端末アクセス情報取得部と、
上記管理サーバに、上記撮影ＩＤと上記携帯端末アクセス情報とを対応付けて送信する通信部と、
を備え、
上記管理サーバは、
上記画像提供装置から、上記撮影ＩＤと上記携帯端末アクセス情報とを受信する受信部と、
所定のウェブページへアクセスするための、上記撮影ＩＤに対応するウェブアクセス情報を生成するアクセス情報生成部と、
上記携帯端末アクセス情報を用いて、上記ウェブアクセス情報を上記携帯端末に通知する通知部と、
上記携帯端末からの上記ウェブアクセス情報を用いた上記ウェブページへのアクセス要求を受け付け、上記撮影ＩＤに対応する上記ウェブアクセス情報を用いたアクセス回数が所定の回数以下である場合には、上記携帯端末のアクセス要求に対し第１のウェブサービスを提供可能とし、上記ウェブアクセス情報を用いた上記アクセス回数が上記所定の回数より多い場合には、上記携帯端末のアクセス要求に対し第２のウェブサービスを提供するウェブサービス管理部と、
を備える、ことを特徴とする情報管理システム。
【請求項２】
上記ウェブサービス管理部は、
上記撮影ＩＤに対応する上記ウェブアクセス情報を用いたアクセス回数が所定の回数以下である場合には、上記携帯端末のアクセス要求を有効と判定し、上記第１のウェブサービスとして、アクセス要求が有効な場合に対応するウェブサービスを提供し、上記撮影ＩＤに対応する上記ウェブアクセス情報を用いた上記アクセス回数が上記所定の回数より多い場合には、上記携帯端末のアクセス要求を無効と判定し、上記第２のウェブサービスとして、アクセス要求が無効である旨を示すウェブページを提供する、
ことを特徴とする請求項１に記載の情報管理システム。
【請求項３】
上記所定の回数は２以上である、
ことを特徴とする請求項１または２に記載の情報管理システム。
【請求項４】
上記管理サーバは、
上記携帯端末からの、上記撮影ＩＤに対応する上記ウェブアクセス情報を用いた上記ウェブページへのアクセス回数を、該ウェブアクセス情報と対応付けて記憶するアクセス履歴情報記憶部を備えており、
上記ウェブサービス管理部は、
上記携帯端末からのアクセス要求を受けると上記アクセス履歴情報記憶部に記憶されている情報を参照することによって、上記アクセス回数を特定する、
ことを特徴とする請求項１から３のいずれか１項に記載の情報管理システム。
【請求項５】
上記管理サーバは、
上記携帯端末からの、上記撮影ＩＤに対応する上記ウェブアクセス情報を用いた上記ウェブページへの上記アクセス要求を受けた場合に、当該携帯端末に予め付与された携帯端末識別情報を取得する携帯端末識別情報取得部を備え、
上記アクセス履歴情報記憶部は、
上記端末識別情報取得部によって取得された上記携帯端末識別情報を、該ウェブアクセス情報と対応付けて記憶し、
上記ウェブサービス管理部は、
上記ウェブアクセス情報を用いた上記ウェブページへの上記アクセス要求を受けると、当該アクセス要求を発信する上記携帯端末の上記携帯端末識別情報が、上記アクセス履歴情報記憶部に記憶されているか否かを判定し、
上記携帯端末識別情報が記憶されている場合には、上記撮影ＩＤに対応する上記ウェブアクセス情報を用いたアクセス回数のうち、当該携帯端末識別情報に対応するアクセス回数が所定の回数以下である場合には、上記携帯端末のアクセス要求に対し第１のウェブサービスを提供可能とし、上記撮影ＩＤに対応する上記ウェブアクセス情報を用いたアクセス回数のうち、当該携帯端末識別情報に対応するアクセス回数が所定の回数より多い場合には、上記携帯端末のアクセス要求に対し第２のウェブサービスを提供する、
ことを特徴とする請求項４に記載の情報管理システム。
【請求項６】
上記ウェブサービス管理部は、
上記携帯端末から受け取ったアクセス要求に含まれる、過去に当該携帯端末が上記ウェブアクセス情報を用いて上記ウェブページにアクセスしたことを示すクッキーに基づいて、
上記クッキーが上記アクセス要求に含まれない場合には、上記携帯端末からの上記ウェブアクセス情報を用いたアクセス要求を初回のアクセス要求と判定し、
上記クッキーが上記アクセス要求に含まれる場合には、上記携帯端末からの上記ウェブアクセス情報を用いたアクセス要求を２回目以降のアクセス要求と判定し、
上記管理サーバは、
上記携帯端末が上記ウェブアクセス情報を用いて上記ウェブページにアクセスすると、当該ウェブアクセス情報を用いてアクセスしたことを示すクッキーを当該携帯端末に送信するクッキー生成部を備える、
ことを特徴とする請求項１から３のいずれか１項に記載の情報管理システム。
【請求項７】
上記アクセス情報生成部は、
上記撮影ＩＤの各々に対して、互いに異なる１つの上記ウェブアクセス情報を生成する、
ことを特徴とする請求項１から６のいずれか１項に記載の情報管理システム。
【請求項８】
携帯端末アクセス情報取得部は、
上記撮影を行ったことに対応して生成される上記撮影ＩＤごとに、複数の携帯端末の上記携帯端末アクセス情報の入力を受け付ける、
ことを特徴とする請求項１から７のいずれか１項に記載の情報管理システム。
【請求項９】
上記アクセス情報生成部は、上記撮影ＩＤに対応する第１情報と、上記撮影ＩＤを秘密のコード化手法である第２方法で変換して得た第２情報とを含む上記ウェブアクセス情報を生成し、
上記第１情報は、上記撮影ＩＤそのもの、または、上記撮影ＩＤを復号可能な第１方法で変換したものであり、
上記ウェブサービス管理部は、上記携帯端末からの上記ウェブアクセス情報に含まれる上記第１情報から対応する上記撮影ＩＤを求め、当該撮影ＩＤを上記第２方法で変換して得た第３情報と当該ウェブアクセス情報に含まれる上記第２情報とを比較し、上記第３情報と上記第２情報とが一致しない場合は上記アクセス回数に関わらず上記携帯端末のアクセス要求を無効と判定する、
ことを特徴とする請求項１から８のいずれか１項に記載の情報管理システム。
【請求項１０】
上記管理サーバは、受信した上記撮影ＩＤを記憶する撮影ＩＤ記憶部を備え、
上記ウェブサービス管理部は、上記携帯端末からの上記ウェブアクセス情報に含まれる上記第１情報から求めた上記撮影ＩＤが、上記撮影ＩＤ記憶部に記憶されていない場合、上記アクセス回数に関わらず上記携帯端末のアクセス要求を無効と判定する、
ことを特徴とする請求項９に記載の情報管理システム。
【請求項１１】
上記携帯端末アクセス情報は、上記携帯端末の電子メールアドレスを含む、
ことを特徴とする請求項１から１０のいずれか１項に記載の情報管理システム。
【請求項１２】
ネットワークを介して画像提供装置および利用者の携帯端末に接続される管理サーバであって、
上記画像提供装置から、上記画像提供装置で撮影を行ったことに対応して生成されるユニークな撮影ＩＤと利用者の携帯端末へアクセスするための携帯端末アクセス情報とを受信する受信部と、
所定のウェブページへアクセスするための、上記撮影ＩＤに対応するウェブアクセス情報を生成するアクセス情報生成部と、
上記携帯端末アクセス情報を用いて、上記ウェブアクセス情報を上記携帯端末に通知する通知部と、
上記携帯端末からの上記ウェブアクセス情報を用いた上記ウェブページへのアクセス要求を受け付け、上記撮影ＩＤに対応する上記ウェブアクセス情報を用いたアクセス回数が所定の回数以下である場合には、上記携帯端末のアクセス要求に対し第１のウェブサービスを提供可能とし、上記ウェブアクセス情報を用いた上記アクセス回数が上記所定の回数より多い場合には、上記携帯端末のアクセス要求に対し第２のウェブサービスを提供するウェブサービス管理部と、
を備えることを特徴とする管理サーバ。
【請求項１３】
ネットワークを介して画像提供装置および利用者の携帯端末に接続される管理サーバの処理方法であって、
上記画像提供装置から、上記画像提供装置で撮影を行ったことに対応して生成されるユニークな撮影ＩＤと利用者の携帯端末へアクセスするための携帯端末アクセス情報とを受信する受信ステップと、
所定のウェブページへアクセスするための、上記撮影ＩＤに対応するウェブアクセス情報を生成するアクセス情報生成ステップと、
上記携帯端末アクセス情報を用いて、上記ウェブアクセス情報を上記携帯端末に通知する通知ステップと、
上記携帯端末からの上記ウェブアクセス情報を用いた上記ウェブページへのアクセス要求を受け付け、上記撮影ＩＤに対応する上記ウェブアクセス情報を用いたアクセス回数が所定の回数以下である場合には、上記携帯端末のアクセス要求に対し第１のウェブサービスを提供可能とし、上記ウェブアクセス情報を用いた上記アクセス回数が上記所定の回数より多い場合には、上記携帯端末のアクセス要求に対し第２のウェブサービスを提供するウェブサービス管理ステップと、
を含むことを特徴とする処理方法。
【請求項１４】
ネットワークを介して画像提供装置および利用者の携帯端末に接続される管理サーバの制御プログラムであって、
上記画像提供装置から、上記画像提供装置で撮影を行ったことに対応して生成されるユニークな撮影ＩＤと利用者の携帯端末へアクセスするための携帯端末アクセス情報とを受信する受信ステップと、
所定のウェブページへアクセスするための、上記撮影ＩＤに対応するウェブアクセス情報を生成するアクセス情報生成ステップと、
上記携帯端末アクセス情報を用いて、上記ウェブアクセス情報を上記携帯端末に通知する通知ステップと、
上記携帯端末からの上記ウェブアクセス情報を用いた上記ウェブページへのアクセス要求を受け付け、上記撮影ＩＤに対応する上記ウェブアクセス情報を用いたアクセス回数が所定の回数以下である場合には、上記携帯端末のアクセス要求に対し第１のウェブサービスを提供可能とし、上記ウェブアクセス情報を用いた上記アクセス回数が上記所定の回数より多い場合には、上記携帯端末のアクセス要求に対し第２のウェブサービスを提供するウェブサービス管理ステップと、
をコンピュータに実行させる制御プログラム。
【発明の詳細な説明】
【技術分野】
【０００１】
本発明は、情報管理サーバおよび情報管理システムに関し、特に、携帯端末の利用者に対するサービスを公平かつ適正に提供することができるようにした情報管理サーバおよび情報管理システムに関する。
【背景技術】
【０００２】
現在、公共の場に不特定多数の利用者に対して所望のデータを生成、加工して、提供するさまざまな装置が多数利用されている。さらに、これらの装置の利便性を向上するために、利用者の多くが利用している携帯端末とのデータ送受信に基づいた機能拡張が考案されている。
【０００３】
例えば、利用者を撮影し、撮影された画像データに対する編集を利用者に行わせ、編集後の画像データをシール紙などに印刷して出力する写真シール作成装置が知られている。利用者は、出力された写真シールを様々な用途に利用することができる。このような写真シール作成装置は娯楽（遊戯）施設などに設置されていることが多く、多くの利用者が存在する。
【０００４】
近年では、撮影された画像の中から利用者が所望の画像を選択し、その画像を利用者が有する携帯端末において閲覧、保存できる機能を利用者に対して提供するために、写真シール作成装置と利用者の携帯端末との双方に対しデータの送受信が可能な管理サーバが導入されるようになっている。
【０００５】
具体的には、撮影された画像の中から、利用者が携帯端末上で利用したい画像を選択させるとともに、写真シール作成装置において、利用者の携帯端末の電子メールアドレスの入力を受け付ける。写真シール作成装置は、利用者によって選択された画像と、利用者の電子メールアドレスとを管理サーバに送信する。管理サーバは、利用者が選択した画像を閲覧・選択することができるサイトへのアクセス情報（URL情報など）を添付した電子メールを利用者に対して送信する。管理サーバから送信された電子メールを受信してアクセス情報を取得した利用者は、当該サイトにアクセスして、画像を閲覧し、所望の画像を選択してダウンロードすることにより、利用者が有する携帯端末において選択された画像を利用することが可能である。
【０００６】
上記のように、管理サーバを備えて、利用者の満足度の向上とリピート率の向上とに資するサービスを提供できる情報管理システムについての例としては、例えば、次に示す特許文献１が挙げられる。
【０００７】
特許文献１には、写真シール作成装置の利用者に限定したサービスの提供を可能とするために、利用者の会員情報および利用情報（利用回数、利用した店舗、利用時間などの利用履歴）を、当該利用者の携帯端末ＩＤ（携帯端末の識別情報）と紐付けて記憶する管理サーバを備えた情報管理システムが開示されている。
【０００８】
この構成によれば、写真シール作成装置の利用者は、管理サーバからの電子メールに添付されたアクセス情報を特別に通知されるため、所定のサービスを受けるためのサイトへのアクセス権限を取得する。これにより、当該情報管理システムの管理者は、写真シール作成装置の利用者の会員情報、および利用情報（利用店舗、利用回数、利用日時など）に基づいたサービスを、特定の利用者に対して円滑に提供することができる。
【先行技術文献】
【特許文献】
【０００９】
【特許文献１】特開２０１２−１４２７７３号公報（２０１２年７月２６日公開）
【発明の概要】
【発明が解決しようとする課題】
【００１０】
しかしながら、上述のような従来技術は各利用者によってアクセス回数に差が生じてしまい、アクセス回数が多い程有利となるようなサービス（例えば、当選確率などが定められているサービス）を利用者に対して公平かつ適正なサービスの提供ができない、という問題がある。
【００１１】
本発明は上記課題を解決するためになされたものであり、その目的は、特定の利用者に対して、特設されたウェブページへのアクセスをさせてサービスを提供する場合、公平かつ適正なサービスの提供を実現することができる情報管理システム、情報管理サーバなどを提供することにある。
【課題を解決するための手段】
【００１２】
上記の課題を解決するために、本発明に係る情報管理システムは、
画像提供装置と管理サーバとがネットワークを介して接続されていることによって構成されている情報管理システムにおいて、
上記画像提供装置は、
被写体を撮影する撮影部と、
上記撮影を行ったことに対応して、ユニークな撮影ＩＤを生成する撮影ＩＤ生成部と、
利用者が有する携帯端末へアクセスするための携帯端末アクセス情報の入力を受け付ける携帯端末アクセス情報取得部と、
上記管理サーバに、上記撮影ＩＤと上記携帯端末アクセス情報とを対応付けて送信する通信部と、
を備え、
上記管理サーバは、
上記画像提供装置から、上記撮影ＩＤと上記携帯端末アクセス情報とを受信する受信部と、
ウェブページへアクセスするための、上記撮影ＩＤに対応するウェブアクセス情報を生成するアクセス情報生成部と、
上記携帯端末アクセス情報を用いて、上記ウェブアクセス情報を上記携帯端末に通知する通知部と、
上記携帯端末からの上記ウェブアクセス情報を用いた上記ウェブページへのアクセス要求を受け付け、上記撮影ＩＤに対応する上記ウェブアクセス情報を用いたアクセス回数が所定の回数以下である場合には、上記携帯端末のアクセス要求に対し第１のウェブサービスを提供し、上記ウェブアクセス情報を用いた上記アクセス回数が上記所定の回数より多い場合には、上記携帯端末のアクセス要求に対し第２のウェブサービスを提供するウェブサービス管理部と、
を備える、ことを特徴としている。
【００１３】
上記の構成によれば、撮影ＩＤに対応するウェブアクセス情報が、管理サーバから当該利用者の携帯端末へ通知される。利用者の有する携帯端末へアクセスするための携帯端末アクセス情報とウェブアクセス情報とが対応付けられているので、管理サーバは画像提供装置を用いて撮影を行った利用者の携帯端末へ、所定のウェブページにアクセスするためのウェブアクセス情報を通知することができる。通知されたウェブアクセス情報が利用者によって用いられると、管理サーバは所定のウェブページへのアクセス要求を受け取るが、上記撮影ＩＤに対応するアクセス要求が所定の回数以下である場合には第１のウェブサービスを提供し、所定の回数を超えるアクセス要求を受けた場合には、第２のウェブサービスを提供する。
【００１４】
これにより、画像提供装置の利用者に対して、第１のウェブサービスを提供する回数を所定の回数以下に制限することができる。もし、利用者によってウェブページへ所定の回数より多くアクセスされても、第１のサービスではなく第２のサービスを提供する。よって、各撮影を行った利用者の間に、ウェブページへのアクセス回数の差が生じても、各利用者に対して第１のウェブサービスを提供する回数に上限を設けることができるので、公平かつ適正な第１のサービスの提供を行うことができる。
【００１５】
さらに、本発明に係る情報管理システムは、
上記ウェブサービス管理部は、
上記撮影ＩＤに対応する上記ウェブアクセス情報を用いたアクセス回数が所定の回数以下である場合には、上記携帯端末のアクセス要求を有効と判定し、上記第１のウェブサービスとして、アクセス要求が有効な場合に対応するウェブサービスを提供し、上記撮影ＩＤに対応する上記ウェブアクセス情報を用いた上記アクセス回数が上記所定の回数より多い場合には、上記携帯端末のアクセス要求を無効と判定し、上記第２のウェブサービスとして、アクセス要求が無効である旨を示すウェブページを提供する、
ことを特徴としてもよい。
【００１６】
この構成によれば、同一の撮影ＩＤに関して、利用者によってウェブページへアクセスされた回数が所定の回数以下の場合には、アクセス要求が有効であると判定され、それに応じたウェブサービスを利用者は享受できる。一方、利用者が所定の回数を超えてアクセスを行った場合には、アクセス要求が無効であると判定され、利用者はウェブサービスを利用できない。
【００１７】
これにより、特定のウェブサービスを利用者が利用できる回数に上限を設けることができる。よって、公平かつ適正なウェブサービス管理を行うことができる。
【００１８】
さらに、本発明に係る情報管理システムは、上記所定の回数は２以上であってもよい。
【００１９】
この構成によれば、１つの撮影ＩＤに関して、第１のウェブサービスを複数回利用することが可能となる。
【００２０】
これにより、例えば上記画像提供装置において複数人で撮影を行った場合に、所定の人数の利用者が第１のウェブサービスを利用することが可能となる。よって、上記画像提供装置のより多くの利用者に対してウェブサービスの提供が可能となり、顧客満足度を向上させることが可能となる。
【００２１】
さらに、本発明に係る情報管理システムは、
上記管理サーバは、
上記携帯端末からの、上記撮影ＩＤに対応する上記ウェブアクセス情報を用いた上記ウェブページへのアクセス回数を、該ウェブアクセス情報と対応付けて記憶するアクセス履歴情報記憶部を備えており、
上記ウェブサービス管理部は、
上記携帯端末からのアクセス要求を受けると上記アクセス履歴情報記憶部に記憶されている情報を参照することによって、上記アクセス回数を特定してもよい。
【００２２】
この構成によれば、撮影ＩＤに対応するウェブアクセス情報によるアクセス回数を的確に管理することができる。
【００２３】
さらに、本発明に係る情報管理システムは、
上記管理サーバは、
上記携帯端末からの、上記撮影ＩＤに対応する上記ウェブアクセス情報を用いた上記ウェブページへの上記アクセス要求を受けた場合に、当該携帯端末に予め付与された携帯端末識別情報を取得する携帯端末識別情報取得部を備え、
上記アクセス履歴情報記憶部は、
上記端末識別情報取得部によって取得された上記携帯端末識別情報を、該ウェブアクセス情報と対応付けて記憶し、
上記ウェブサービス管理部は、
上記ウェブアクセス情報を用いた上記ウェブページへの上記アクセス要求を受けると、当該アクセス要求を発信する上記携帯端末の上記携帯端末識別情報が、上記アクセス履歴情報記憶部に記憶されているか否かを判定し、
上記携帯端末識別情報が記憶されている場合には、上記撮影ＩＤに対応する上記ウェブアクセス情報を用いたアクセス回数のうち、当該携帯端末識別情報に対応するアクセス回数が所定の回数以下である場合には、上記携帯端末のアクセス要求に対し第１のウェブサービスを提供可能とし、上記撮影ＩＤに対応する上記ウェブアクセス情報を用いたアクセス回数のうち、当該携帯端末識別情報に対応するアクセス回数が所定の回数より多い場合には、上記携帯端末のアクセス要求に対し第２のウェブサービスを提供してもよい。
【００２４】
この構成によれば、アクセス要求を発信した利用者の携帯端末から携帯端末識別情報を取得して、アクセス履歴情報記憶部に記憶されている過去のアクセス履歴情報を参照し、当該アクセス要求を発信した携帯端末によるアクセス回数を認識することができる。
【００２５】
ここで、撮影ＩＤに対応するウェブアクセス情報によるアクセス回数は所定の回数で制限されている状況で、例えば、特定の携帯端末によるアクセスが繰り返されることによって、特定の利用者のみが第１のウェブサービスを多くの回数利用してしまうということが考えられる。これに対して上記の構成によれば、利用者の携帯端末ごとにアクセス回数を制限することが可能となるので、特定の携帯端末によるアクセス回数が多く行われることを防止することができる。
【００２６】
なお、「携帯端末識別情報に対応するアクセス回数」とは、アクセス要求が行われた際の当該アクセス要求も含めた回数を示している。また、この場合に、所定の回数を１とすれば、特定の携帯端末によるアクセス回数を１回のみに限定することが可能となる。
【００２７】
さらに、本発明に係る情報管理システムは、
上記ウェブサービス管理部は、
上記携帯端末から受け取ったアクセス要求に含まれる、過去に当該携帯端末が上記ウェブアクセス情報を用いて上記ウェブページにアクセスしたことを示すクッキーに基づいて、
上記クッキーが上記アクセス要求に含まれない場合には、上記携帯端末からの上記ウェブアクセス情報を用いたアクセス要求を初回のアクセス要求と判定し、
上記クッキーが上記アクセス要求に含まれる場合には、上記携帯端末からの上記ウェブアクセス情報を用いたアクセス要求を２回目以降のアクセス要求と判定し、
上記管理サーバは、
上記携帯端末が上記ウェブアクセス情報を用いて上記ウェブページにアクセスすると、当該ウェブアクセス情報を用いてアクセスしたことを示すクッキーを当該携帯端末に送信するクッキー生成部を備えてもよい。
【００２８】
この構成によれば、ウェブページのクッキーを含んだアクセス要求を携帯端末から受け付けた場合には、該携帯端末は過去にウェブページの情報を取得したことがあると判定し、ウェブページのクッキーを含んでいないアクセス要求を携帯端末から受け付けた場合には、該携帯端末は過去にウェブページの情報を取得したことがないと判定する。
【００２９】
これにより、利用者の携帯端末からウェブページへのアクセスが初めて行われるのか、それとも過去にもアクセスが行われたのかを、簡単に判定することができる。
【００３０】
さらに、本発明に係る情報管理システムは、
上記アクセス情報生成部は、
上記撮影ＩＤの各々に対して、互いに異なる１つの上記ウェブアクセス情報を生成してもよい。
【００３１】
この構成によれば、管理サーバ側において、ウェブアクセス情報に基づいて撮影ＩＤを特定することが可能となる。また、撮影ＩＤに対応するウェブアクセス情報を用いたアクセス回数のカウントを的確に行うことが可能となる。
【００３２】
さらに、本発明に係る情報管理システムは、
携帯端末アクセス情報取得部は、
上記撮影を行ったことに対応して生成される上記撮影ＩＤごとに、複数の携帯端末の上記携帯端末アクセス情報の入力を受け付けてもよい。
【００３３】
この構成によれば、画像提供装置を用いて利用者が行った個別の撮影に対応して設けられたウェブページへアクセスするためのウェブアクセス情報を、各撮影が行われたことに対して、複数の携帯端末へ通知する。
【００３４】
これにより、該撮影に参加した利用者が複数人である場合、ウェブアクセス情報を該複数人の利用者が利用することができるので、より多くの利用者に対して、ウェブページを利用させることができる。
【００３５】
さらに、本発明に係る情報管理システムは、
上記アクセス情報生成部は、上記撮影ＩＤに対応する第１情報と、上記撮影ＩＤを秘密のコード化手法である第２方法で変換して得た第２情報とを含む上記ウェブアクセス情報を生成し、
上記第１情報は、上記撮影ＩＤそのもの、または、上記撮影ＩＤを復号可能な第１方法で変換したものであり、
上記ウェブサービス管理部は、上記携帯端末からの上記ウェブアクセス情報に含まれる上記第１情報から対応する上記撮影ＩＤを求め、当該撮影ＩＤを上記第２方法で変換して得た第３情報と当該ウェブアクセス情報に含まれる上記第２情報とを比較し、上記第３情報と上記第２情報とが一致しない場合は上記アクセス回数に関わらず上記携帯端末のアクセス要求を無効と判定してもよい。
【００３６】
この構成によれば、管理サーバは、画像提供装置が生成した撮影ＩＤに対応する第１情報と、第１情報を第２方法で変換して得られる第２情報と、を含むウェブアクセス情報を生成し、携帯端末へ通知する。携帯端末から受けたウェブアクセス情報に含まれる第１情報を取得した管理サーバは、第２方法を用いて該取得した撮影ＩＤを変換する。管理サーバは、変換によって得られる第３情報と、携帯端末から取得したウェブアクセス情報に含まれる第２情報とを照合する。
【００３７】
これにより、第三者には公開されていない秘密のコード化手法によって変換された第２情報によって、ユーザからのアクセスの正当性を判断しているので、例えば不正なユーザが撮影ＩＤに基づいてウェブアクセス情報を勝手に生成したとしても、正当なウェブアクセス情報を生成することは実質的に不可能とすることができる。
【００３８】
さらに、本発明に係る情報管理システムは、
上記管理サーバは、受信した上記撮影ＩＤを記憶する撮影ＩＤ記憶部を備え、
上記ウェブサービス管理部は、上記携帯端末からの上記ウェブアクセス情報に含まれる上記第１情報から求めた上記撮影ＩＤが、上記撮影ＩＤ記憶部に記憶されていない場合、上記アクセス回数に関わらず上記携帯端末のアクセス要求を無効と判定する。
【００３９】
この構成によれば、撮影ＩＤを管理サーバが記憶する。
【００４０】
これにより、管理サーバが受け取ったウェブアクセス情報に含まれる撮影ＩＤが、撮影ＩＤ記憶部に記憶されているか否かに基づいて、各アクセス要求の判定をすることができる。よって、不正なアクセス要求を容易に判定することができ、ウェブページを安全に管理することができる。
【００４１】
さらに、本発明に係る情報管理システムは、
上記携帯端末アクセス情報は、上記携帯端末の電子メールアドレスを含み得る。
【００４２】
この構成により、撮影を行った利用者に電子メールを送信することによってウェブアクセス情報を通知する。
【００４３】
これにより、適切な操作手順、ウェブページに関する説明などと共に、ウェブアクセス情報を利用者に通知することができるため、ウェブページの利用を効果的に促進することができる。
【００４４】
また、上記の課題を解決するために、本発明に係る管理サーバは、
ネットワークを介して画像提供装置および利用者の携帯端末に接続される管理サーバであって、
上記画像提供装置から、上記画像提供装置で撮影を行ったことに対応して生成されるユニークな撮影ＩＤと利用者の携帯端末へアクセスするための携帯端末アクセス情報とを受信する受信部と、
所定のウェブページへアクセスするための、上記撮影ＩＤに対応するウェブアクセス情報を生成するアクセス情報生成部と、
上記携帯端末アクセス情報を用いて、上記ウェブアクセス情報を上記携帯端末に通知する通知部と、
上記携帯端末からの上記ウェブアクセス情報を用いた上記ウェブページへのアクセス要求を受け付け、上記撮影ＩＤに対応する上記ウェブアクセス情報を用いたアクセス回数が所定の回数以下である場合には、上記携帯端末のアクセス要求に対し第１のウェブサービスを提供可能とし、上記ウェブアクセス情報を用いた上記アクセス回数が上記所定の回数より多い場合には、上記携帯端末のアクセス要求に対し第２のウェブサービスを提供するウェブサービス管理部と、
を備えることを特徴としている。
【００４５】
さらに、上記の課題を解決するために、本発明に係る管理サーバの処理方法は、
ネットワークを介して画像提供装置および利用者の携帯端末に接続される管理サーバの処理方法であって、
上記画像提供装置から、上記画像提供装置で撮影を行ったことに対応して生成されるユニークな撮影ＩＤと利用者の携帯端末へアクセスするための携帯端末アクセス情報とを受信する受信ステップと、
所定のウェブページへアクセスするための、上記撮影ＩＤに対応するウェブアクセス情報を生成するアクセス情報生成ステップと、
上記携帯端末アクセス情報を用いて、上記ウェブアクセス情報を上記携帯端末に通知する通知ステップと、
上記携帯端末からの上記ウェブアクセス情報を用いた上記ウェブページへのアクセス要求を受け付け、上記撮影ＩＤに対応する上記ウェブアクセス情報を用いたアクセス回数が所定の回数以下である場合には、上記携帯端末のアクセス要求に対し第１のウェブサービスを提供可能とし、上記ウェブアクセス情報を用いた上記アクセス回数が上記所定の回数より多い場合には、上記携帯端末のアクセス要求に対し第２のウェブサービスを提供するウェブサービス管理ステップと、を含む、
ことを特徴としている。
【００４６】
本発明の各態様に係る情報管理システムは、コンピュータによって実現してもよく、この場合には、コンピュータを上記管理サーバが備える各部として動作させることにより上記管理サーバをコンピュータにて実現させる、管理サーバの制御プログラム、およびそれを記録したコンピュータ読み取り可能な記録媒体も、本発明の範疇に入る。
【発明の効果】
【００４７】
本発明の一態様によれば、特定の利用者に対して、特設されたウェブページへのアクセスをさせてウェブサービスを提供する場合、公平かつ適正なウェブサービスの提供を実現することができるという効果を奏する。
【図面の簡単な説明】
【００４８】
【図１】情報管理システムの概略構成を示す図である。
【図２】写真シール作成装置の全体の外観の構成例を示す斜視図である。
【図３】写真シール作成装置の全体の外観の構成例を図２とは別の角度からみた斜視図である。
【図４】写真シール作成装置を利用する利用者の移動例を、写真シール作成装置を上方から見た平面図を用いて示す図である。
【図５】写真シール作成装置が備える撮影ユニットの撮影部の構成例を示す図である。
【図６】写真シール作成装置が備える撮影ユニットの背景部の構成例を示す図である。
【図７】写真シール作成装置が備える編集部の構成例を示す図である。
【図８】写真シール作成装置が備える事後接客部の構成例を示す図である。
【図９】写真シール作成装置の内部構成例を示す図である。
【図１０】写真シール作成装置が備える制御部の構成例を詳細に示す図である。
【図１１】写真シール作成装置の利用者に対して、写真シール作成ゲームを提供する処理の流れを例示するフローチャートである。
【図１２】写真シール作成装置が、シールＩＤを発行する処理の流れを例示するフローチャートである。
【図１３】管理サーバの構成例を示す図である。
【図１４】情報管理システムが行う処理の流れを例示するフローチャートである。
【図１５】写真シール作成装置の事後接客部のタブレット内蔵モニタに表示させる画面表示の一例を示す図であり、（ａ）は利用者のスマートフォンへのメールを送信前に表示される画面表示、（ｂ）は利用者のスマートフォンへのメールを送信後に表示される画面表示である。
【図１６】管理サーバからスマートフォンへ送信される電子メールの内容の一例である。
【図１７】管理サーバが生成したウェブページの例を示す図であり、（ａ）は利用者にミニゲームを行わせるページの例、（ｂ）および（ｃ）はミニゲームの結果を表示するページの例である。
【図１８】情報管理システムが、所定の回数より多いアクセス要求が行われたことを、アクセスした利用者に通知するページの例を示す図であり、（ａ）は所定のウェブページへのアクセスを無効とする例、（ｂ）は所定のウェブページとは異なるウェブページへ利用者を誘導する例である。
【発明を実施するための形態】
【００４９】
以下、本発明を適用した実施の形態について、図面を参照しながら詳細に説明する。
【００５０】
（情報管理システム１００）
まず、図１を用いて、情報管理システム１００の概略構成について簡単に説明する。
【００５１】
情報管理システム１００は、写真シール作成装置１を用いて写真シール作成装置を行った利用者に対して、特別に設置されたウェブサイトへのアクセス情報を含む特定のウェブサービスを提供する。
【００５２】
図１において一点鎖線を用いて示したように、情報管理システム１００は、写真シール作成装置（画像提供装置）１と管理サーバ４とを備えている。写真シール作成装置１を用いて写真シール作成ゲームを行う利用者は、利用者が有するスマートフォン（携帯端末）６が備える通信機能を用いてこの情報管理システム１００を利用することができる。
【００５３】
この情報管理システム１００が行う各処理については、後に詳述する。
【００５４】
まず、写真シール作成装置１、および写真シール作成装置１を用いて行われる写真シール作成ゲームについて詳細に説明する。
【００５５】
（写真シール作成装置１と写真シール作成装置）
以下では、写真シール作成装置１と写真シール作成ゲームについての概略を説明し、その後に、写真シール作成装置１の外観の構成例、写真シール作成装置を利用する利用者の移動例、写真シール作成装置１が備える主要部の構成例、写真シール作成装置１の内部構成例、および写真シール作成ゲームを提供する処理の流れ、について順に詳細に説明する。
【００５６】
（写真シール作成装置１が提供する写真シール作成ゲームについての概略）
本発明において、写真シール作成装置１は、利用者（被写体）に写真シール作成ゲームを提供するゲーム機である。具体的には、写真シール作成装置１は、利用者が写真シール作成ゲームとして撮影した画像あるいは当該画像に利用者が編集を行った編集済み画像を利用者に提供する代わりに、利用者から写真シール作成ゲームの代金を受け取るゲーム機である。写真シール作成装置１はゲームセンタなどの店舗、および商業施設のゲームコーナーなどに設置される。
【００５７】
写真シール作成装置１が提供する写真シール作成ゲームは、例えば、以下のようにして行われる。写真シール作成ゲームを行う写真シール作成装置１の利用者は、まず、代金を投入し、利用者自身が被写体となって所定の回数の撮影を行う。次に、この撮影によって得られた撮影画像の中から、利用者は編集対象の画像を選択する。利用者は、選択された編集対象の画像に対して、手書き線画の付加や定型画像（予め記憶されているスタンプ画像であり、衣装や髪型などの画像も含まれる）の追加、および編集対象の画像の中の所定の箇所（被写体の顔、目など）に拡大・縮小などの編集を加えることができる。その後、利用者は編集済みの編集画像を印刷されたシール紙を受け取って、一連の写真シール作成ゲームは終了する。なお、写真シール作成ゲームは、１人でもあるいは複数人でも行うことができる。
【００５８】
（写真シール作成装置１の外観の構成例）
図２は、本発明の一態様に係る写真シール作成装置１の全体の外観の構成例を示す斜視図である。写真シール作成装置１は少なくとも、撮影ユニット１１、編集部１２、および事後接客部１３を備える。図２に示す例では、撮影ユニット１１から事後接客部１３への利用者の移動の途中に編集部１２が存在するように配置され、編集部１２と事後接客部１３とは互いに接する。なお、写真シール作成装置１を利用する利用者の移動例については、後に詳述する。
【００５９】
撮影ユニット１１は、撮影部２１と背景部２２とを備える。撮影部２１と背景部２２とは前後に所定の距離だけ離れており、撮影される被写体（撮影処理を行う利用者）が使用する空間（撮影空間、図４の撮影空間Ａ１を参照）を規定する。
【００６０】
撮影部２１は、撮影空間内で撮影処理を行う利用者の正面（前方）に位置する正面パネル４１、該利用者の左側の側面を構成する側面パネル４２Ａ、および側面パネル４２Ａと略平行な右側の側面を構成する側面パネル（側面パネル４２Ｂ、図４参照）を備える。側面パネル４２Ａには側面パネル４２Ａより小さいパネル４２Ｌが備えられ得、例えば、写真シール作成装置１の呼称、あるいは利用者に提供されるウェブサービスに関する情報を表示する掲示板などであってもよいし、利用者の顔などを映す鏡として機能する鏡面を有するパネルであってもよい。
【００６１】
撮影部２１の撮影空間側の面を構成する正面パネル４１には、撮影処理を行う利用者によって用いられるカメラ、ストロボ、撮影・表示ユニット、タッチパネルモニタなど（後に詳述する）が設けられる。この撮影部２１の各構成、特に正面パネル４１が備える構成については、後に詳述する。
【００６２】
背景部２２は、撮影空間内に居る利用者が撮影部２１の方を向いたときに背面（後方）に位置する板状の部材であり、該利用者の左側の側面を構成する側面パネル５２Ａ、および側面パネル５２Ａと略平行な右側の側面を構成する側面パネル（図示せず）を備える。背景部２２の前側の面は、撮影空間内の利用者を撮影した撮影画像の背景として写りこみ得る。この背景部２２には撮影のときに用いられ得る複数のストロボが備えられるが、この構成については、後に詳述する。
【００６３】
撮影部２１の側面パネル４２Ａと背景部２２の側面パネル５２Ａとは、略同一平面を共有するように設置され、それぞれの上部が板状の部材である上部連結部２３Ａによって連結される。写真シール作成装置１を上から見たとき、この上部連結部２３Ａの形状は、後部が開口したコの字状である。
【００６４】
撮影部２１の側面パネル４２Ａと背景部２２の側面パネル５２Ａとは、それぞれの下部が細長い板状の部材である下部連結部２３Ａ’によって連結される。撮影部２１の右側の面を構成する側面パネル、および背景部２２の右側の面を構成する側面パネル（側面パネル５２Ｂ、図４参照）は、図には示されていないが、略同一平面を共有するように設置される。そして、それぞれの上部は板状の部材である上部連結部２３Ａによって連結され、それぞれの下部は床面に平行な板状の部材である下部連結部（図示せず）によって連結される。
【００６５】
撮影部２１の側面パネル４２Ａ，背景部２２の側面パネル５２Ａ、上部連結部２３Ａおよび下部連結部２３Ａ’によって囲まれる開口部が、撮影空間へ利用者が出入りするための出入り口Ｇ１となる。撮影部２１の右側の面を構成する側面パネル（側面パネル４２Ｂ、図４参照）、背景部２２の右側の面を構成する側面パネル（側面パネル５２Ｂ、図４参照）、右側の上部連結部および下部連結部によって囲まれる開口部が、撮影空間へ利用者が出入りするための右側における出入り口（出入口Ｇ２、図４参照）となる。すなわち、利用者は、撮影空間へ左側からも右側からも出入りすることができる。
【００６６】
背景部２２の上部には、背景カーテンユニット２５が備えられる。背景カーテンユニット２５は、背景部２２の背景パネル５１、側面パネル５２Ａ、および背景部２２の右側の面を構成する側面パネル、の上部と接し、さらに、上部連結部２３Ａの後部側とも接する。
【００６７】
背景カーテンユニット２５には、撮影空間内の利用者を撮影した撮影画像の背景として利用するカーテン（背景カーテン）が収納される。色、模様などが互いに異なる複数の背景カーテンが、背景カーテンユニット２５に収納され得る。背景カーテンユニット２５は、背景部２１に設けられたカメラなどを用いた撮影と連動して動作し得、利用者が撮影処理の際に所望のカーテンを選択した場合、当該所望のカーテンを被写体の後方で展開する。なお、背景カーテンユニット２５に収納される背景カーテンとしては、巻き取り式のカーテンまたは１枚のクロマキー用固定カーテンが好適に利用されるが、これに制限されず、利用者の要求に応じて、所望の背景を提供する如何なる機構によるものであってよい。
【００６８】
撮影空間の上方には、上部連結部２３Ａ、および右側の上部連結部に挟まれる形で天井ストロボユニット２４が設けられる。天井ストロボユニット２４は、撮影空間における天井に相当する面を一部占め、撮影に合わせて撮影空間内（すなわち、天井ストロボユニット２４の下方）に向けて発光するストロボを備える。天井ストロボユニット２４は、ストロボの他に蛍光灯などの照明機器を備え、撮影空間内を照らす照明としても機能する。
【００６９】
図３は、写真シール作成装置１の全体の外観の構成例を図２とは別の角度からみた斜視図である。
【００７０】
編集部１２は、撮影処理によって得られた画像に対する、利用者による編集を受け付ける装置である。図３に示す構成例では、編集部１２の後方の側面が撮影ユニットの前方の面（正面パネル４１の撮影空間と反対の側）に接するよう設置され、編集部１２と撮影ユニット１１との間の隙間はない。編集部１２には、利用者による編集処理のときに用いられるタブレット内蔵モニタ（タブレット内蔵モニタ１３１、図７参照）などを備えている。
【００７１】
図３に示す編集部１２の構成を写真シール作成装置１の左側の構成とすると、２組の利用者が同時に編集処理を行うことができるように、編集部１２の左側の構成と同じ構成が写真シール作成装置１の右側にも設けられる。すなわち、編集部１２は、写真シール作成装置１の左右両側に編集処理を行うための構成を備えており、利用者は、写真シール作成装置１の左側と右側との両方で編集部１２の構成を利用することができる。
【００７２】
編集部１２の利用者に面する側には、床面に対して垂直な面であり側面パネル４２Ａと略平行な面である面７１と、面７１の上方に形成された斜面７２が設けられ、編集処理に用いられる構成は斜面７２に配置される。この編集部１２の各構成については、後に詳述する。
【００７３】
編集部１２の斜面７２の上方には照明装置７４が設けられる。照明装置７４は、編集部１２を利用する利用者から見て左右の上方の前方支持部７３Ａ、および後方支持部７３Ｂの双方に接する。また、斜面７２と前方支持部７３Ａとに接し、床面と面７１とに対してほぼ垂直な面を含む前方壁７３Ｃが設けられる。
【００７４】
編集部１２の上方には、写真シール作成装置１を上から見たときのカーテンフレーム２６の形状がコの字になるように３本のカーテンフレーム（カーテンフレーム２６Ａ〜２６Ｃ）を組み合わせて構成される。カーテンフレーム２６Ｃは、前方壁７３Ｃの上面に配される支持部７５により支持される。カーテンフレーム２６Ａおよび２６Ｂは、一端を上部連結部２３Ａの前方の面に固定され、他端はカーテンフレーム２６Ｃにほぼ直角に接合されることで固定される。その結果、カーテンフレーム２６Ａ〜２６Ｃはいずれも、床面に対してほぼ平行な平面内に存在する。
【００７５】
カーテンフレーム２６には、カーテンが取り付けられ、編集部１２を利用する利用者が用いる空間（編集空間、図４のＡ２−１およびＡ２−２を参照）がカーテンによって囲まれる。
【００７６】
事後接客部１３は、事後接客処理を利用者に行わせる装置である。この事後接客処理には、例えば、撮影画像または編集済みの編集画像を利用者の有するスマートフォン６などの携帯端末へ送信する処理、ミニゲームを利用者に行わせる処理、アンケートに回答させる処理、などが含まれてもよい。
【００７７】
事後接客部１３は、所定の厚さを有する板状の筐体を有しており、写真シール作成装置１の最前面に設置される。すなわち、事後接客処理を行う時、あるいはシール紙の排出を待つ利用者が用いる空間（事後接客空間、図４のＡ３を参照）は、写真シール作成装置１の最前方に位置する。図３に示す例では、事後接客部１３は、その背面が編集部１２の前側の面、および前方壁７３Ｃに接するように設置されている。事後接客部１３には、事後接客処理を行う利用者によって用いられるタブレット内蔵モニタ、撮影画像または編集済みの編集画像が印刷されたシール紙が排出される排出口などが設けられる。この事後接客部１３の各構成については、後に詳述する。
【００７８】
（写真シール作成装置１を利用する利用者の移動例）
ここで、写真シール作成装置の流れと、写真シール作成装置１を利用する利用者の流れとの対応関係について、図４を参照して説明する。図４は、写真シール作成装置１を利用する利用者の移動例を、写真シール作成装置を上方から見た平面図を用いて示す図である。
【００７９】
写真シール作成装置の流れは、撮影処理（工程１）、編集処理（工程２）、および事後接客処理（工程３）の３つの工程を含んでいる。なお、写真シール作成ゲームを行うための代金の投入は、以下の説明では省略している。
【００８０】
工程１：撮影処理
写真シール作成ゲームを行うために写真シール作成装置１を利用する利用者は、白抜き矢印＃１で示すように左の開口部Ｇ１を通って、あるいは白抜き矢印＃２で示すように右の開口部Ｇ２を通って、撮影空間Ａ１に入る。前述のように、撮影空間Ａ１は、撮影部２１と背景部２２との間に形成された空間であり、利用者は、この撮影空間Ａ１に入って撮影部２１に設けられたカメラ、タッチパネルモニタなどを用いて撮影処理を行う。
【００８１】
なお、撮影処理において利用者は写りモード（撮影コース）を選択し得る。例えば、ナチュラル／パーフェクトなどの選択肢の中から、利用者が選択する。選択された写りモード（撮影コース）に従って、照明、カメラ、あるいは背景などが好適に制御され得る。また、ここで選んだ写りモード（撮影コース）に基づいて、以後の編集処理、事後接客処理の内容も変わるように構成してもよい。
【００８２】
工程２：編集処理
撮影処理を終えた利用者は、白抜き矢印＃３で示すように出入口Ｇ１を通って撮影空間Ａ１から出て前方に移動し編集空間Ａ２−１まで移動するか、あるいは、白抜き矢印＃４で示すように出入口Ｇ２を通って撮影空間Ａ１から出て前方に移動し編集空間Ａ２−２まで移動する。
【００８３】
編集空間Ａ２−１は、編集処理に用いられる編集部１２の左側の構成を利用する利用者が用いる空間であり、編集空間Ａ２−２は、編集処理に用いられる編集部１２の右側の構成を利用する利用者が用いる空間である。撮影処理を終えた撮影空間Ａ１の利用者は、撮影部２１のタッチパネルモニタの画面表示、あるいは音声指示などによって、移動すべき編集空間へ誘導される。例えば、編集部１２の左右両側の構成のうち、撮影処理終了時点において編集処理が行われていない側に対応する編集空間が撮影処理を終えた利用者に対して指示される。編集空間Ａ２−１において編集部１２の左側の構成を用いて編集処理を行う利用者と、編集空間Ａ２−２において編集部１２の右側の構成を用いて編集処理を行う利用者とは、同時に編集処理を行うことが可能である。
【００８４】
工程３：事後接客処理
画像の編集処理が終えると、利用者は撮影画像、あるいは編集済みの編集画像の中から所望の画像を選択する。選択された画像は、シール紙に印刷される。画像が印刷されたシール紙を利用者が受け取るまでに、所望の画像の選択を終えた利用者は、事後接客処理を行うために事後接客空間Ａ３に移動する。具体的には、利用者が、編集空間Ａ２−１で編集処理を行っていた場合には、白抜き矢印＃５で示すように移動し、編集空間Ａ２−２で編集処理を行っていた場合には、白抜き矢印＃６で示すように移動する。
【００８５】
写真シール紙には、利用者が編集処理において選択した画像以外に、付加情報が印刷され得る。付加情報としては、写真シール作成装置１の機器ＩＤ、設置場所、筐体の名称（機種名）、撮影が行われた日付と日時、写りコース、画像管理サーバが管理するウェブサイトのＵＲＬ、およびシールＩＤ（撮影ＩＤ）などが利用され得る。このシールＩＤとは、写真シール作成装置１が行った撮影ごとに発行される、それぞれの撮影に対応するユニークなＩＤである。ここで、写真シール作製装置１が行った撮影とは、写真シール作成のための撮影であり、一回の操作（一回の写真シール作成装置の１回のプレイ）により行われる撮影で、回数または時間で許容される複数の撮影処理のことである。すなわち、シールＩＤとは、複数回の撮影を行う写真シール操作毎に発行されるもので、一回の写真シール作製装置１の操作に対応してユニークに発行されるＩＤである。なお、写真シール作成装置を行った利用者に行わせる事後接客処理、および情報管理システム１００を用いて当該利用者に対して提供されるウェブサービスについては、後に詳述する。
【００８６】
画像の印刷が終了すると、利用者は、事後接客部１３に設けられた排出口から排出された、画像が印刷されたシール紙を受け取り、一連の写真シール作成装置は終了する。
【００８７】
（写真シール作成装置１が備える主要部の構成例）
以下では、図５〜図８を用いて、写真シール作成装置１の撮影部２１、背景部２２、編集部１２、および事後接客部１３の詳細な構成例について説明する。
【００８８】
図５は、写真シール作成装置１が備える撮影ユニット１１の撮影部２１の構成例を示す図である。撮影部２１は、前述の正面パネル４１、左の側面パネル４２Ａ、右の側面パネル４２Ｂ、ベース部４３（左のベース部４３Ａ、右のベース部４３Ｂ）を備える。
【００８９】
正面パネル４１は、撮影空間Ａ１において撮影処理を行う利用者にほぼ正対する。左のベース部４３は正面パネル４１と接し、左のベース部４３Ａはさらに左の側面パネル４２Ａと接しており、右のベース部４３Ｂはさらに右の側面パネル４２Ｂと接している。正面パネル４１の下部の左のベース部４３Ａと右のベース部４３Ｂとの間には、足元ストロボ８３が備えられ、また、正面パネル４１の上部には上ストロボ８２が備えられ、撮影に合わせて撮影空間Ａ１内にむけて発光する。
【００９０】
正面パネル４１には、撮影・表示ユニット８１が設けられる。撮影・表示ユニット８１は、カメラ９１、タッチパネルモニタ９２、および正面ストロボ９３を備える。
【００９１】
カメラ９１は、ＣＣＤ（Charge Coupled Device）などの撮像素子により構成され、撮影空間Ａ１を動画撮影する。カメラ９１により撮像された動画像は、即時的にタッチパネルモニタ９２に送られ、タッチパネルモニタ９２において表示される。カメラ９１により撮像された動画像を構成する複数の静止画像のうち、利用者によって撮影処理が行われた時点に対応する静止画像が、撮影された画像として保存される。
【００９２】
タッチパネルモニタ９２は、液晶ディスプレイなどの薄型ディスプレイと、該薄型ディスプレイの表示部に重畳したタッチパネルとにより構成される。タッチパネルモニタ９２は、カメラ９１により撮像された動画像を表示する機能と、利用者が行う撮影処理に関する操作入力を受け付けるＧＵＩ（Graphical user interface）画像を表示する機能と、を備える。なお、正面パネル４１は、写真シール作成ゲームを行う利用者に対して、ＢＧＭなどの音楽あるいは効果音、または音声によるガイダンスなどを提供するスピーカを備えてもよい。
【００９３】
また、正面パネル４１には正面ストロボ９３は備えられ、撮影に合わせて撮影空間Ａ１内にむけて発光する。例えば、図５に示す位置に正面ストロボ９３を設けた場合、正面ストロボ９３は撮影空間Ａ１内の利用者の顔の付近を正面から照らすことになる。
【００９４】
ベース部４３（図５に示す例では、右のベース部４３Ｂの撮影空間Ａ１に向いた面）には、写真シール作成ゲームを行う利用者が代金を投入する硬貨投入返却口８４が設けられる。
【００９５】
左側のベース部４３Ａの上面には左側のスペース４２Ａ、右側のベース部４３Ａの上面には右側のスペース４２Ｂがある。これらのスペース４２Ａおよびスペース４２Ｂは、撮影空間Ａ１内において撮影処理を行う利用者が手荷物などを一時置きする台として機能する。
【００９６】
なお、天井ストロボユニット２４に限らず、撮影空間Ａ１内に備えられる各種ストロボは蛍光灯などの照明機器を備え、撮影空間内を照らす照明としても機能するようにしてもよい。
【００９７】
図６は、写真シール作成装置１が備える撮影ユニット１１の背景部２２の構成例を示す図である。この図６は、背景部２２の背面パネル５１を撮影空間Ａ１の内側から見た図である。
【００９８】
背面パネル５１の上方には、前述のカーテンユニット２５が備えられる。そのカーテンユニット２５のほぼ中央には撮影空間Ａ１を照らす背面中央ストロボ１０１が設けられ、撮影処理を行う利用者を背面上部から照らす。
【００９９】
また、背景部２２の側面パネル５２Ａの撮影空間Ａ１側の面には背面左ストロボ１０２、側面パネル５２Ｂの撮影空間Ａ１側の面には背面右ストロボ１０３がそれぞれ設けられ、撮影処理を行う利用者を背面側方から照らす。
【０１００】
図７は、写真シール作成装置１が備える編集部１２の構成例を示す図である。編集部１２の利用者に面する側に設けられた、床面に対して垂直な面であり側面パネル４２Ａと略平行な面である面７１、照明装置７４、前方支持部７３Ａおよび後方支持部７３Ｂ、前方壁７３Ｃについては、前述の図３の繰り返しとなるため、ここでは省略する。
【０１０１】
また、編集部１２は、前述のように（図３参照）、写真シール作成装置１の左側の構成と同じ構成が写真シール作成装置１の右側にも設けられる。すなわち、編集部１２は、写真シール作成装置１の左右両側に編集処理を行うための構成を備えており、利用者は、写真シール作成装置１の左側と右側との両方で編集部１２の構成を利用することができる。ここでは、写真シール作成装置１の左側に設けられた編集部１２の構成を、図７を用いて説明し、写真シール作成装置１の右側に設けられた編集部１２の構成の説明を省略する。
【０１０２】
斜面７２には、タブレット内蔵モニタ１３１が設けられ、そのタブレット内蔵モニタ１３１を挟んでそれぞれタッチペン１３２Ａとタッチペン１３２Ｂとが備えられる。
【０１０３】
タブレット内蔵モニタ１３１は、タッチペン１３２Ａおよびタッチペン１３２Ｂを用いて操作入力が可能なタブレットがＬＣＤなどの薄型ディスプレイに重畳して設けられることにより構成される。タブレット内蔵モニタ１３１には、例えば、編集対象として選択された撮影画像に対して利用者が編集処理を行う編集画面が表示される。
【０１０４】
編集部１２を利用して編集処理を行う利用者は、タッチペン１３２Ａおよびタッチペン１３２Ｂを同時に用いて編集処理を行うことができる。すなわち、２人の利用者が同時にタブレット内蔵モニタ１３１において編集処理を行う場合には、利用者がそれぞれタッチペン１３２Ａとタッチペン１３２Ｂとのいずれか一方を利用すればよい。
【０１０５】
また、編集部１２は、図７に示すようにスピーカ２３１を備えてもよい。ＢＧＭなどの音楽あるいは効果音、または音声によるガイダンスなどを、スピーカ２３１を用いて、編集処理を行う利用者に対して提供し得る。
【０１０６】
次に、写真シール作成装置１の前側の面に設けられ、編集処理を終えた利用者によって利用される事後接客部１３の構成について、図８を用いて説明する。
【０１０７】
図８は、写真シール作成装置１が備える事後接客部１３の構成例を示す図である。
【０１０８】
事後接客部１３は、タブレット内蔵モニタ１６１が設けられ、そのタブレット内蔵モニタ１６１を挟んでそれぞれタッチペン１６２Ａとタッチペン１６２Ｂとが備えられる。
【０１０９】
タブレット内蔵モニタ１６１は、タッチペン１６２Ａおよびタッチペン１６２Ｂを用いて操作入力が可能なタブレットがＬＣＤなどの薄型ディスプレイに重畳して設けられることにより構成される。タブレット内蔵モニタ１６１には、例えば、利用者が事後接客処理を行うときに用いる画面が表示される。
【０１１０】
編集部１２と同様に、事後接客部１３を利用して事後接客処理を行う利用者は、タッチペン１６２Ａおよびタッチペン１６２Ｂを同時に用いて事後接客処理を行うことができる。すなわち、２人の利用者が同時にタブレット内蔵モニタ１６１において事後接客処理を行う場合には、利用者がそれぞれタッチペン１６２Ａとタッチペン１６２Ｂとのいずれか一方を利用すればよい。
【０１１１】
また、事後接客部１３には、スピーカ１６４、およびシール紙排出口１６３が備えられる。
【０１１２】
スピーカ１６４は、タブレット内蔵モニタ１６１の上方に設けられ、事後接客処理を行う利用者に対して、ＢＧＭなどの音楽あるいは効果音、または音声によるアナウンス、または指示を提供する。
【０１１３】
シール紙排出口１６３は、利用者が編集部１２を用いて撮影画像の編集処理を行った撮影画像または編集済みの編集画像が印刷されたシール紙が排出される。利用者はシール紙排出口１６３から排出されたシール紙を受け取り、一連の写真シール作成ゲームは終了する。
【０１１４】
（写真シール作成装置１の内部構成例）
以下では、図９および図１０を用いて、写真シール作成装置１の内部構成例を説明する。図９は、写真シール作成装置１の内部構成例を示す図である。なお、前述した構成と同じ構成については図２〜図８で示したものと同じ符号を付して、説明の重複は避ける。
【０１１５】
写真シール作成装置１は、その内部構成として、制御部２０１、記憶部２０２、通信部（通信部）２０３、ドライブ２０４、リムーバブルメディア２０５、ＲＯＭ２０６、ＲＡＭ２０７、撮影部２０８、編集部２０９、および事後接客部２１０を備えている。
【０１１６】
制御部２０１は、記憶部２０２あるいはＲＯＭ２０６に記憶されているコンピュータプログラムを実行し、写真シール作成装置１の全体の動作を制御する。制御部２０１には、記憶部２０２、通信部２０３、ドライブ２０４、リムーバブルメディア２０５、ＲＯＭ２０６、ＲＡＭ２０７の他に、撮影部２０８、編集部２０９、および事後接客部２１０の各構成も接続される。なお、制御部２０１の内部構成については、図１０を参照して後に詳述する。
【０１１７】
記憶部２０２は、ハードディスクなどの不揮発性の記憶媒体を含み、制御部２０１から送られる各種の設定情報を記憶する。また、記憶部２０２に記憶されている情報は制御部２０１により読み出され得る。
【０１１８】
通信部２０３は、インターネットなどのネットワークに接続するときのインターフェースとして機能し、制御部２０１による制御に従って、外部の管理サーバ４との通信を行う。
【０１１９】
ドライブ２０４は、光ディスクあるいは半導体メモリなどを含むリムーバブルメディア２０５が適宜装着される。ドライブ２０４によってリムーバブルメディア２０５から読み出されたコンピュータプログラムまたはデータは、制御部２０１に供給される。制御部２０１に供給されたコンピュータプログラムまたはデータは、記憶部２０２に記憶あるいはインストールされ得る。
【０１２０】
ＲＯＭ２０６は、制御部２０１が実行するコンピュータプログラム、および制御部２０１が使用するデータを記憶する。一方、ＲＡＭ２０７は、制御部２０１が実行するコンピュータプログラム、および制御部２０１が使用するデータを一時的に記憶する。
【０１２１】
撮影部２０８は、上述したカメラ９１、およびタッチパネルモニタ９２などの他に、硬貨処理部２２１、背景制御部２２２、照明装置２２３、スピーカ２２４を備えている。
【０１２２】
カメラ９１は、制御部２０１のシャッタ制御に従って撮影を行い、撮影によって取得した画像データを制御部２０１に出力する。
【０１２３】
タッチパネルモニタ９２は、更にライブビューモニタを含み得、制御部２０１からのＲＧＢ信号に従って画像の表示を行う。また、タッチパネルモニタ９２は、撮影処理を行う利用者からの入力信号を取得した場合、当該入力信号を制御部２０１に出力する。
【０１２４】
硬貨処理部２２１は、硬貨投入返却口８４に対する硬貨の投入を検出する。硬貨処理部２２１は、写真シール作成ゲームを行う代金である所定の金額分が投入されたことを検出した場合、制御部２０１に対して起動信号を出力する。
【０１２５】
背景制御部２２２は、制御部２０１からの背景制御信号に従って、背景カーテンユニット２５に収納されている背景カーテンのうち選択された背景カーテンを広げて（降ろして）利用者に提供し、一方、選択されていない背景カーテンは格納する、という動作を行う。
【０１２６】
照明装置２２３は、制御部２０１からの照明制御信号に従って、撮影空間Ａ１内に備えられた各ストロボの発光を行う。また、当該各ストロボに備えられた蛍光灯の点灯を行うように構成することもできる。
【０１２７】
スピーカ２２４は、制御部２０１から音声信号を取得し、撮影空間Ａ１内において撮影処理を行う利用者に対して、ＢＧＭなどの音楽あるいは効果音、または音声によるアナウンス、または指示を提供する。
【０１２８】
編集部２０９には、編集部２０９Ａと編集部２０９Ｂとの２つが含まれる。編集部２０９Ａは、図４において編集空間Ａ２−１から編集処理を行う構成（写真シール作成装置１の左側に備えられた編集部１２の構成）に対応し、編集部２０９Ｂは、図４において編集空間Ａ２−２から編集処理を行う構成（写真シール作成装置１の右側に備えられた編集部１２の構成）に対応する。以後、編集部２０９Ａについてのみ説明するが、これは編集部２０９Ａと同じ構成を有し、編集部２０９Ａと同時に編集処理を行うことができる編集部２０９Ｂの説明も兼ねている。
【０１２９】
編集部２０９Ａは、タブレット内蔵モニタ１３１、タッチペン１３２Ａ、タッチペン１３２Ｂ、およびスピーカ２３１を備えている。
【０１３０】
タブレット内蔵モニタ１３１は、ＬＣＤなどの編集用モニタに重畳されたタブレットを備えており、制御部２０１による制御に従って編集画面を表示し、編集画面に対する利用者の編集処理の操作を検出され、検出された入力信号は制御部２０１に出力される。
【０１３１】
事後接客部２１０は、タブレット内蔵モニタ１６１、タッチペン１６２Ａ、タッチペン１６２Ｂ、スピーカ１６４、プリンタ２４１、およびシール紙ユニット２４２を備えている。
【０１３２】
プリンタ２４１は、複数の撮影画像または編集済みの編集画像を所定のレイアウトで配列された印刷データとして取得し、プリンタ２４１に備えられたシール紙ユニットに装填されたシール紙に印刷する。印刷されたシール紙はシール紙排出口１６３（図示せず）から排出される。
【０１３３】
次に、写真シール作成装置１を用いて行われる写真シール作成装置全般の処理を制御する制御部２０１が備える機能ブロックを例示して説明する。図１０は、写真シール作成装置が備える制御部の構成例を示す図である。制御部２０１は、撮影処理部３０１、編集処理部３０２、印刷処理部３０３、事後接客処理部（携帯端末アクセス情報取得部）３０４、およびシールＩＤ発行部（撮影ＩＤ生成部）３０５を備えている。
【０１３４】
撮影処理部３０１は、写真シール作成装置の代金に関する処理、および撮影処理に関する各処理を行う。編集処理部３０２は、撮影処理の後に、利用者に撮影画像に対する編集処理に関する各処理を行う。印刷処理部３０３は、撮影画像または編集済みの編集画像をシール紙に印刷する処理を行う。そして、事後接客処理部３０４は、例えば、撮影画像または編集済みの編集画像を利用者によって指定される携帯端末に送信する処理、ミニゲームを利用者に行わせる処理、アンケートに回答させる処理などを行う。これらの事後接客処理には、画像が印刷されたシール紙が排出されるまでの間の待ち時間などが利用され得る。シールＩＤ発行部３０５は、利用者が行った個別の写真シール作成ゲーム（撮影）に対応するユニークな識別符号であるシールＩＤ（撮影ＩＤ）を発行する。シールＩＤとして用いられる符号は、例えば、番号あるいは文字列であり得る。このシールＩＤおよびシールＩＤの発行の流れについては後に詳述する。
【０１３５】
（写真シール作成ゲームを提供する処理の流れ）
図１１は、写真シール作成装置の利用者に対して、写真シール作成ゲームを提供する写真シール作成装置１が行う処理の流れを示すフローチャートである。
【０１３６】
ステップＳ１（以後、単にＳ１と略す）において、写真シール作成装置１の制御部２０１の撮影処理部３０１は、撮影部２０８の硬貨処理部２２１からの信号に基づいて、所定の金額分の硬貨（代金）が投入されたか否か、を判定する。所定の金額分の硬貨が投入されていない場合（Ｓ１においてＮＯ）には、所定の金額分が投入されるまで待機する。Ｓ１において所定の金額分の硬貨が投入された場合（Ｓ１においてＹＥＳ）には、硬貨処理部２２１から起動信号が撮影処理部３０１に対して出力される。
【０１３７】
Ｓ２において、撮影処理部３０１は、撮影部２０８を制御して、利用者による撮影処理を受け付ける。すなわち、カメラ９１が撮影を開始し、撮影によって取得した画像データ（動画像データ）を撮影処理部３０１に出力する。画像データを取得した制御部２０１は、タッチパネルモニタ９２のライブビューモニタにおいて、当該動画像を表示する。タッチパネルモニタ９２が、撮影処理を行う利用者からの入力信号を取得した場合、当該入力信号を撮影処理部３０１に出力する。利用者による撮影処理が行われた場合には、カメラ９１のシャッタが制御部２０１によって制御され、撮影が行われる。撮影によって得られた画像データ（静止画像データ）は、カメラ９１から撮影処理部３０１へ出力される。利用者は、この撮影処理において所定の回数の撮影を行うことが可能である。
【０１３８】
Ｓ３において、撮影処理部３０１は、撮影空間Ａ１内の撮影処理を終えた利用者に対して、編集空間Ａ２−１または編集空間Ａ２−２への移動を案内する。この編集空間Ａ２−１または編集空間Ａ２−２への移動の案内は、撮影部２０８のタッチパネルモニタ９３に当該案内を示す画面を表示させることにより行われてもよいし、スピーカ２２４から音声を出力させることにより行われてもよい。
【０１３９】
Ｓ４において、編集処理部３０２は、編集空間Ａ２−１または編集空間Ａ２−２への移動を案内された利用者により操作される編集部２０９を制御して、編集処理を行う。
【０１４０】
Ｓ５において、編集処理部３０３は、編集処理を終えた利用者を事後接客空間Ａ３へ案内する。事後接客空間への移動の案内は、編集部２０９のタブレット内蔵モニタ１３１に当該案内を示す画面を表示させることにより行われてもよいし、スピーカ２３１から音声を出力させることにより行われてもよい。
【０１４１】
Ｓ６において、印刷処理部３０３は、利用者によって選択された撮影画像または編集済みの編集画像をシール紙に印刷する処理を行う。
【０１４２】
Ｓ７において、事後接客処理部３０４は、事後接客部２１０を制御して、編集処理を終えて印刷処理の終了を待つ利用者に対して事後接客処理を行う。事後接客処理部３０４が、写真シール作成装置を行った利用者に行わせる事後接客処理については、後に詳述する。
【０１４３】
Ｓ８において、事後接客処理部３０４は、印刷が終了した旨をタブレット内蔵モニタ１６１に表示させ、プリンタ２４１は、画像が印刷されたシール紙をシール紙排出口１６３に排出し、処理を終了させる。
【０１４４】
なお、シール紙には画像の他に、写真シール作成装置１の機器ＩＤ、設置場所、筐体の名称（機種名）、撮影が行われた日付と日時、写りコース、画像管理サーバが管理するウェブサイトのＵＲＬ、およびシールＩＤ（撮影ＩＤ）などが印刷され得る。
【０１４５】
（シールＩＤ）
ここでは、写真シール作成装置１を用いて、写真シール作成ゲームを行う利用者が行う事後接客処理と、写真シール作成装置が終了した後に当該利用者に対して情報管理システム１００を用いて利用されるシールＩＤについて説明する。
【０１４６】
写真シール作成装置１において、利用者が行った撮影によって得られた画像には、当該撮影に関係するさまざまな付加情報が対応づけられ得る。付加情報としては、例えば、利用者が当該写真シール作成ゲームに用いた写真シール作成装置１の機器ＩＤ、設置場所、筐体の名称（機種名）、撮影が行われた日付と日時、写りコース（撮影モード）、画像管理サーバが管理するウェブサイトのＵＲＬ、およびシールＩＤ（撮影ＩＤ）などが利用され得る。このシールＩＤとは、写真シール作成装置１の利用者が行ったそれぞれの撮影ごとに発行され得る、ユニークなＩＤである。すなわち、シールＩＤとは、複数回の撮影を行う写真シール操作毎に発行されるもので、一回の写真シール作製装置１の操作に対応してユニークに発行されるＩＤである。
なお、写真シール作成装置を行った利用者に行わせる事後接客処理、および情報管理システム１００を用いて当該利用者に対して提供されるウェブサービスについては、後に詳述する。
【０１４７】
（シールＩＤの発行）
図１３は、写真シール作成装置１がシールＩＤを発行するまでの流れを示すフローチャートである。なお、前述した構成と同じステップについては図１１で示したものと同じ符号を付して、説明の重複は避ける。また、図１１では記載されていた、利用者への移動案内（Ｓ３およびＳ５）は、シールＩＤを発行するまでの流れと直接的に関係していないため、ここでは図示していない。
【０１４８】
Ｓ１１において、編集処理（Ｓ４）を終えた利用者によって、撮影画像または編集済みの編集画像が選択される。シールＩＤ発行部３０５は、選択された画像を編集処理部３０２から取得する。
【０１４９】
Ｓ１２において、シールＩＤ発行部３０５は、個別の撮影に対する付加情報のうち、一部の情報を数値化する。ここで数値化される付加情報としては、機器ＩＤ、ゲーム開始時間、ゲームカウントなどの情報が含まれ得る。
【０１５０】
Ｓ１３において、シールＩＤ発行部３０５は、Ｓ１２において得た数値（あるいは文字列など）をコード化する。コード化とは、例えば「０」と「１」とで構成された数列として表現することである。
【０１５１】
Ｓ１４において、シールＩＤ発行部３０５は、コード化した結果に対してチェックサム判定を行う。チェックサム判定とは、コード化した情報の正誤判定を簡便に行う手法の１つである。もし、チェックサム判定の結果、誤りが検出された場合には、Ｓ１２に戻り、個別の撮影に対する付加情報の数値化からやり直す。
【０１５２】
Ｓ１４におけるチェックサム判定の結果、誤りが検出されない場合には、Ｓ１５において、シールＩＤ発行部３０５は、シールＩＤの発行が完了する。
【０１５３】
発行されたシールＩＤは、シールＩＤ発行部３０５から印刷処理部３０３、および事後接客部３０４に送られる。
【０１５４】
（管理サーバ４）
次に、情報管理システム１００を構成する管理サーバ４について説明する。情報管理システム１００は、写真シール作成装置１を用いて写真シール作成ゲームを行った利用者に対して、特別に設置されたウェブページ（ウェブサイト、あるいはキャンペーンサイトでもよい）へのアクセス情報を含む特定のウェブサービスを提供する。
【０１５５】
図１２は、管理サーバ４の構成例を示す図である。管理サーバ４は通信部４１、管理部４２、および記憶部４３を備えている。
【０１５６】
通信部４１は、さらに、受信部４１１、メール送信部（通知部）４１２および配信部４１３を備えている。
【０１５７】
受信部４１１は、図１に示すように、写真シール作成装置１から、写真シール作成装置１が生成したシールＩＤ、および同写真シール作成装置１が取得した利用者のメールアドレス（電子メールアドレス）などを受け取る。また、利用者のスマートフォン６からのウェブアクセスを受信する。
【０１５８】
メール送信部４１２は、利用者のスマートフォン６に対して電子メールを送信しキャンペーンサイトなどのウェブページのＵＲＬを利用者に通知する。
【０１５９】
配信部４１３は、キャンペーンサイトへアクセスするスマートフォン６に対して、キャンペーンサイトの情報、およびクッキーなどを配信する。
【０１６０】
管理部４２は、ウェブページＵＲＬ生成部（アクセス情報生成部）４２１、ウェブページ管理部４２２、ユーザアクセス情報取得部（携帯端末識別情報取得部）４２３、クッキー生成部４２４、およびミニゲーム制御部４２５を備えている。
【０１６１】
ウェブページＵＲＬ生成部４２１は、当該利用者からのアクセス要求に含まれるシールＩＤをＵＲＬエンコードして得られる情報などを含むＵＲＬを生成する。このＵＲＬの生成方法については後に詳述する。
【０１６２】
ウェブページ管理部４２２は、ウェブページＵＲＬ生成部４２１によって生成されたＵＲＬを含む電子メールを作成し、送信部４１２に出力する。また、スマートフォン６から受けたアクセス要求に含まれるＵＲＬに基づき、ＵＲＬエンコードされたシールＩＤを取得する。また、ウェブページ管理部４２２は、利用者によるアクセス要求をアクセス回数などのアクセス履歴に基づいて判定する。
【０１６３】
ユーザアクセス情報取得部４２３は、携帯電話機などからのアクセス要求を受信した際に、アクセス要求を送信した当該携帯電話機に固有のＵＩＤなどの携帯端末識別情報を取得する。なお、ＵＩＤとは、携帯電話機（あるいは携帯電話機の利用者）ごとに割り当てられた端末固有識別子の１つである。
【０１６４】
クッキー生成部４２４は、キャンペーンサイトに対応するクッキーを生成する。ウェブページ管理部４２２は生成されたクッキーはクッキー生成部４２４から取得し、キャンペーンサイトの情報と共に配信部４１３へ出力する。
【０１６５】
ミニゲーム制御部４２５は、キャンペーンサイトにアクセスした利用者に提供されるウェブサービスを制御する。例えば、後述するようにルーレットなどのミニゲームであれば、当該ミニゲームを利用者に行わせるための制御を行う。
【０１６６】
記憶部４３は、ウェブページデータベース４３１、シールＩＤデータベース（撮影ＩＤ記憶部）４３２、およびアクセス履歴情報データベース（アクセス履歴情報記憶部）４３３を備えている。
【０１６７】
ウェブページ記憶部４３１は、利用者に提供するウェブサービスなどの情報を含むウェブページのコンテンツ情報などを記憶している。
【０１６８】
シールＩＤデータベース４３２は、写真シール作成装置１から送られた、利用者が行った撮影に対応するシールＩＤを記憶する。
【０１６９】
アクセス履歴情報データベース４３３は、各キャンペーンサイトを利用する利用者からのアクセス要求を送信した携帯電話機の携帯端末識別情報（機種識別情報、ＵＩＤなど）、および当該利用者がキャンペーンサイトへのアクセス要求を送信した回数などのアクセス履歴情報を記憶する。
【０１７０】
管理サーバ４を含む情報管理システム１００が行う処理については、後に詳述する。
【０１７１】
なお、管理サーバ４は、写真シール作成装置１によって作成された画像データを受信し、該画像データを記憶して管理する画像サーバ機能を備えていてもよい。また、この画像サーバ機能を有する別のサーバが情報管理システム１００に備えられていてもよい。また、管理サーバ４が有する各機能を複数のサーバによって実現し、サーバ群として管理サーバ４を構成するようにしてもよい。
【０１７２】
（個別のシールＩＤに対応するウェブサイトのＵＲＬの生成方法）
利用者が行った撮影に対応して生成されたシールＩＤに対応するウェブサイトのＵＲＬ１（ウェブアクセス情報）は、ウェブページＵＲＬ生成部４２１によって、例えば以下のように生成され得る。
【０１７３】
http://xxxxx.com/?id=yyyyyyyyyyy%3d&hash=zzzzzzzzzzz&course=1    （ＵＲＬ１）
まず、ＵＲＬ１において、「http://xxxxx.com/」の部分は、写真シール作成装置１とデータの送受信が可能な管理サーバ４のドメイン名を示している。例えば、ここで示す「xxxxx」は、写真シール作成装置１の名称（呼称）などであってよい。
【０１７４】
次に、「?id=yyyyyyyyyyy%3d」の部分は、復号可能なアルゴリズム（第１方法）（ｂａｓｅ６４など）を用いてシールＩＤをエンコードして得られる「yyyyyyyyyyy%3d」（第１情報）を示す。例えば、「%3d」は「=」がＵＲＬエンコードされた結果である。「%3d」が２個付加されることもあり得る。
【０１７５】
次に、「&」の後に続く「hash=zzzzzzzzzzz」は、「yyyyyyyyyyy%3d」に共通キーをソルトとして付加した後にハッシュ関数（第２方法）を用いて、ハッシュ化することで得られる文字列である。
【０１７６】
ハッシュ関数としては、例えば、ＭＤ５（Message Digest Algorithm 5）が挙げられるる。このＭＤ５はハッシュ関数と呼ばれるアルゴリズムの１つであり、任意長のデータ（数値データ）から１２８ビットのハッシュ値（メッセージダイジェスト）を出力する。なお、ここのハッシュ値「zzzzzzzzzzz」（第２情報）を求めるために用いられるアルゴリズムはＭＤ５に限定されず、他のハッシュ値アルゴリズムも好適に利用することが可能である。
【０１７７】
なお、ここでは「yyyyyyyyyyy%3d」に共通キーを付加した後にハッシュ化している。この共通キーとは、ウェブサイトの管理者しか知りえない文字列などであり、この共通キーを知らなければ、「zzzzzzzzzzz」（第２情報）から「yyyyyyyyyyy%3d」（第１情報）を復号し得えない。逆に、この共通キーを知っていれば、「zzzzzzzzzzz」から「yyyyyyyyyyy%3d」を復号することができる。すなわち、この共通キーは、サーバ管理において不正アクセスなどを防ぐために用いられる。
【０１７８】
ＵＲＬ１には、利用者が本シールＩＤと対応づけられた撮影において選択した写りモード（撮影コース）に関する情報が含まれている。最後の「course」とは、写りコース（撮影モード）を示しており、例えば、撮影モードにナチュラル（Ｎａｔｕｒａｌ）とパーフェクト（Ｐｅｒｆｅｃｔ）との２種類が選択できる場合、利用者が選択した撮影モードがナチュラルであれば１とし、パーフェクトであれば２とする。
【０１７９】
なお、ここで例示したＵＲＬ１の「xxxxx」、「yyyyyyyyyyy%3d」、および「zzzzzzzzzzz」などの文字数には意味はなく、任意の長さ、任意の種類の文字、数字、および記号であってよい。また、ここでは「x」、「y」、「z」などのアルファベットを主に用いて説明したが、これに限定されず、インターネットでアクセス情報として使用できる任意の文字、数字、記号であってよい。
【０１８０】
このように、ＵＲＬ１を生成することにより、ウェブページ管理部４２２は、アクセス要求に含まれるＵＲＬ１から、利用者が行った撮影に対応するシールＩＤを導き出すことができる。
【０１８１】
さらに、ウェブページ管理部４２２は、導き出したシールＩＤに秘密の共通キーを付与してハッシュ化することで、管理サーバ４は、携帯端末から発信されたアクセス要求が指示するＵＲＬが正当なものであるか否かを判定することができる。
【０１８２】
すなわち、ウェブページＵＲＬ生成部４２１は、写真シール作成装置１が生成したシールＩＤに対応するＵＲＬエンコードされたシールＩＤと、ＵＲＬエンコードされたシールＩＤ（第１情報）を第三者には復号不可能な方法（第２方法）で変換して得られるハッシュ値と、を含むＵＲＬを生成し、メール送信部４１２がこのＵＲＬを含むメールをスマートフォン６へ送信する。また、スマートフォン６から受けたアクセス要求に含まれるＵＲＬに基づき、ウェブページ管理部４２２は、ＵＲＬエンコードされたシールＩＤを取得する。そして、ウェブページ管理部４２２は、取得したシールＩＤに対して、秘密の共通キーを付与してハッシュ化したハッシュ値を算出し、この算出ハッシュ値（第３情報）と、スマートフォン６から取得したＵＲＬに含まれるハッシュ値（第２情報）とを照合する。
【０１８３】
これにより、ウェブページ管理部４２２は、第三者には公開されていない秘密の共通キーを用いたハッシュ変換を行ったＵＲＬにより、ユーザからのアクセスの正当性を判断しているので、例えば不正なユーザがシールＩＤに基づいてＵＲＬを勝手に生成したとしても、正当なＵＲＬを生成することは実質的に不可能とすることができる。
【０１８４】
（情報管理システム１００が行う処理）
以下では、情報管理システム１００が行う処理について、図１４を用いて説明する。適宜、図１５〜図１８に示す具体例を参照する。
【０１８５】
図１４は、情報管理システム１００が行う処理の流れを例示するフローチャートである。なお、図１４では、図１１との重複を避けるために、利用者が写真シール作成装置１を用いて事後接客処理（図１１においてＳ７）を行う以前の処理について省略する。また、図１１において既に説明された処理については、図１１で用いた符号と同じ符号を付与して説明を省略する。
【０１８６】
Ｓ７１において、事後接客部２１０のタブレット内蔵モニタ１６１において、利用者の所有するスマートフォン６のメールアドレス（携帯端末アクセス情報）の入力を要求する画面を表示する（操作要求）。なお、利用者が入力できるメールアドレスは１つでもよいし、複数であってもよい。写真シール作成ゲームは一度に複数人の利用者によって行われることが多い。そこで、利用者が行った撮影処理に対応して発行されるシールＩＤは、複数の利用者のスマートフォンのメールアドレスなどと関連付けられ得る。
【０１８７】
写真シール作成装置１をｎ人（ｎ≧２）で行った利用者は、編集処理において、ｎ人のなかから、例えば、ｍ人（ｎ≧ｍ≧１）を選出する。選出されたｍ人は、各自の有するスマートフォン（スマートフォン６ａ、スマートフォン６ｂ；図１参照）のメールアドレス（携帯端末アクセス情報）を入力する。
【０１８８】
このように複数の利用者に対してウェブページへのアクセスに用いるＵＲＬを通知することが好ましい。これにより、ウェブページにアクセスした利用者の数を適切に増やすことができるとともに、写真シール作成装置１を使用した写真シール作成ゲームのリピート率を向上させることができる。
【０１８９】
Ｓ７２において、利用者によるメールアドレスの入力を取得した後、事後接客部２１０のタブレット内蔵モニタ１６１は、図１５の（ａ）に示すような画面を表示し、写真シール作成ゲームを行った利用者に対して特設されるキャンペーンサイトにアクセスした利用者に行わせるミニゲーム、およびミニゲームの結果に基づいて得られるウェブサービスについて提示する。
【０１９０】
図１５は、写真シール作成装置１の事後接客部のタブレット内蔵モニタ１６１に表示させる画面表示の一例を示す図であり、（ａ）は利用者のスマートフォン６へのメールを送信前に表示される画面表示、（ｂ）は利用者のスマートフォン６へのメールを送信後に表示される画面表示である。図１５の（ａ）に示すように、例えば、該画面表示にはメール送信ボタンＰが配されている。なお、（ｂ）で記載したが、メールを送信できなかった場合は、その旨が表示される。この場合、メールが送信された場合との不平等を是正するため、例えば、ＵＲＬを画面上に表示し、利用者がアクセスできるようにしてもよい。
【０１９１】
Ｓ７３において、図１５の（ａ）に示すメール送信ボタンＰが利用者によって押下（タッチ操作）されることを契機として、写真シール作成装置１は、当該利用者が行った撮影に対して生成したシールＩＤと利用者のメールアドレスとを対応付けて、通信部２０３から管理サーバ４へ送信する。利用者が行った撮影に対して生成したシールＩＤと利用者のメールアドレスとを対応付けた情報のことを、以下では利用者情報と呼ぶことにする。
【０１９２】
なお、写真シール作成装置１はシール紙の排出を待つ利用者に対して、上記とは別に、事後接客空間Ａ３を用いるミニゲーム、アンケートなどを行うようにしてもよい。Ｓ８において、シール紙の排出することにより、写真シール作成装置１は写真シール作成装置の一連の処理を終える。
【０１９３】
管理サーバ４の受信部４１１が、Ｓ４０１（受信ステップ）において、写真シール作成装置１から利用者情報を受信すると、Ｓ４０２（アクセス情報生成ステップ）において、管理サーバ４のウェブページＵＲＬ生成部４２１は、当該利用者情報に含まれるシールＩＤおよびメールアドレスに個別に対応するＵＲＬを生成する。生成されたＵＲＬは、アクセス履歴情報データベース４３３に記憶される。
【０１９４】
Ｓ４０３において、管理サーバ４のウェブページ管理部４２２は、ウェブページＵＲＬ生成部４２１によって生成されたＵＲＬを含む電子メールを作成する。
【０１９５】
Ｓ４０４（通知ステップ）において、メール送信部４１２は、スマートフォン６のメールアドレスを利用して利用者に該電子メールを送信し、ＵＲＬを通知する。このとき、事後接客部２１０のタブレット内蔵モニタ１６１は、図１５の（ｂ）に示すような画面を表示して、利用者に電子メールが送信されたことを通知してもよい。
【０１９６】
Ｓ６０１において、当該利用者の有するスマートフォン６がキャンペーンサイトのＵＲＬを含む電子メールを受信する。
【０１９７】
図１６は、管理サーバ４からスマートフォン６へ送信される電子メールの内容の一例である。スマートフォン６が受信する電子メールの差出人は、写真シール作成装置１の名称「ＸＸＸＸＸ」が使用されており、利用者は、容易に自身が行った写真シール作成ゲームに関する通知であることを理解し得る。そして、利用者に対して、電子メールを受信した利用者に対して特設されるキャンペーンサイトにアクセスした利用者に行わせるミニゲーム、およびミニゲームの結果に基づいて得られるウェブサービスについて提示する。なお、写真シール作成装置１の名称「ＸＸＸＸＸ」としては、利用者が写真シール作成装置１と認識し得る名称であればよく、任意の文字列、記号などが用いられ得る。
【０１９８】
図１６に示すように、電子メールにはキャンペーンサイトのＵＲＬへのアクセス要求を発信するリンクＱが含まれている。このリンクＱは、例えば、ミニゲームにチャレンジする利用者によって「チャレンジする」という文字列が付与されている。
【０１９９】
Ｓ６０２において、利用者がリンクＱをクリック操作することにより、スマートフォン６は、リンクＱに付与されるＵＲＬへのアクセス要求を、管理サーバ４へ送信する。
【０２００】
Ｓ４０５において、管理サーバ４の受信部４１１は、ＵＲＬを含むアクセス要求を受信する。
【０２０１】
Ｓ４０６において、管理サーバ４のウェブページ管理部４２２は、スマートフォン６からのアクセス要求を受信した際に、アクセス要求に含まれるＵＲＬエンコードされたシールＩＤを取得する。取得したＵＲＬエンコードされたシールＩＤを含むアクセス要求を過去に受けた回数（アクセス履歴情報）をアクセス履歴情報データベース４３３に記憶されている情報を読み出す。
【０２０２】
Ｓ４０７において、ウェブページ管理部４２２は、上記アクセス要求を過去に受けた回数が所定の回数以下であるか否かを判定する。以下では、キャンペーンサイトを利用してウェブサービスの提供を受けることができる回数の上限を、２回（所定の回数）と設定されている場合について説明する。
【０２０３】
当該シールＩＤを含むアクセス要求が既に３回目以降であれば、アクセス要求は所定の回数より多くなされているので認められず、キャンペーンサイトにウェブアクセスできない。一方、当該シールＩＤを含むアクセス要求がまだ２回目以下であれば、アクセス要求は所定の回数以下なので認められ、キャンペーンサイトにウェブアクセスできる。
【０２０４】
なお、キャンペーンサイトのＵＲＬを含む電子メールを受信した利用者が２人いる場合には、１人の利用者がキャンペーンサイトへ先に２回アクセスしてしまうと、もう１人が発信するアクセス要求は３回目以降と判定され、キャンペーンサイトのウェブサービスの提供を受けることができない。
【０２０５】
そこで、当該シールＩＤを含むアクセス要求がまだ２回目以下である場合でも、アクセス要求を発信した利用者を特定し、そのアクセス回数を制限することが望ましい。
【０２０６】
そこで、Ｓ４０８（ウェブサービス管理ステップ）において、アクセス要求を受けた場合に、各アクセス要求を発信したスマートフォン６が既に１度キャンペーンサイトにウェブアクセスをしたか否かを判定する。例えば、この判定には、キャンペーンサイトのクッキーが、アクセス要求に含まれているか否かを用いて、各スマートフォン６のアクセス履歴を判定し得る。
【０２０７】
Ｓ４０９において、アクセス要求にクッキーが含まれている場合には、ウェブページ管理部４２２は、キャンペーンサイトへのアクセス要求を無効と判定し、当該スマートフォン６からキャンペーンサイトへのウェブアクセスを拒否される。
【０２０８】
図１８は、情報管理システム１００が、所定の回数より多いアクセス要求が行われたことを、アクセスした利用者に通知するページの例を示す図であり、（ａ）は所定のウェブページへのアクセスを無効とする例、（ｂ）は所定のウェブページとは異なるウェブページへ利用者を誘導する例である。
【０２０９】
例えば、図１８の（ａ）に示すように、所定の回数以上のアクセス要求が既に行われた場合、当該アクセス要求に対して、キャンペーンサイトへのアクセス要求を無効と判断して、写真シール作成装置１を用いて改めて写真シール作成ゲームを行うようにしてもよい。また、図１８の（ｂ）に示すように、所定の回数以上のアクセス要求が既に行われた場合、当該アクセス要求に対して、キャンペーンサイトとは異なるが別のミニゲームが含まれるウェブページなどへ利用者を誘導してもよい。
【０２１０】
Ｓ４１０において、アクセス要求にクッキーが含まれていない場合には、ウェブページ管理部４２２は、キャンペーンサイトへのアクセス要求を有効と判定し、当該スマートフォン６からキャンペーンサイトへのウェブアクセスを承認される。また、ウェブページ管理部４２２は、アクセス履歴情報データベース４３３のアクセス履歴情報を更新する。
【０２１１】
なお、利用者がスマートフォンなどの高機能携帯端末ではなく、携帯電話機などを用いてアクセス要求を行う場合には、上記のクッキーを利用したアクセス履歴の判定が、一般にはできない。そこで、携帯電話機から発信されたアクセス要求を受けた場合には、ユーザアクセス情報取得部４２３は、アクセス要求を発信した携帯電話機のＵＩＤなどの携帯端末識別情報を取得して、アクセス履歴情報データベース４３３に記憶するとともに、ウェブページ管理部４２２に送る。ウェブページ管理部４２２は、ユーザアクセス情報取得部４２３からＵＩＤと同じＵＩＤが、アクセス履歴情報データベース４３３に記憶されているか否かを参照することで、該携帯電話機からのアクセス要求が行われた回数を判定し得る。
【０２１２】
Ｓ４１１において、管理サーバ４のウェブページ管理部４２２によってウェブページデータベース４３１に記憶されているキャンペーンサイトの情報が選択される。
【０２１３】
Ｓ４１２において、当該キャンペーンサイトのクッキーが管理サーバ４のクッキー生成部４２４において生成される。
【０２１４】
Ｓ４１３において、ウェブページ管理部４２２は、アクセス要求を送信したスマートフォン６へ送信されるキャンペーンサイトの情報と共に、該クッキーをスマートフォン６へ送信する。
【０２１５】
Ｓ６０３において、スマートフォン６はキャンペーンサイトの情報を取得して、利用者はキャンペーンサイトの利用を開始する。
【０２１６】
なお、ここではキャンペーンサイトを利用してウェブサービスの提供を受けることができる回数の上限を、２回（所定の回数）と設定されている場合について説明したが、任意の人数の利用者にＵＲＬを含む電子メールを送信して、キャンペーンサイトからウェブサービスを公平に提供することができる。
【０２１７】
図１７は、管理サーバ４が生成したウェブページの例を示す図であり、（ａ）は利用者にミニゲームを行わせるページの例、（ｂ）および（ｃ）はミニゲームの結果を表示するページの例である。
【０２１８】
図１７では、キャンペーンサイトの構成例として、ルーレット（ミニゲームＧ）を含む例を挙げている。スマートフォン６に表示された画面表示に含まれるルーレットのストップボタンＲをタッチ操作することでミニゲームＧを所定の回数、行うことができる。その結果、予め定められた「当たり」／「はずれ」のルールに従って、ゲームの結果が決まる。
【０２１９】
なお、ミニゲームＧの表示およびミニゲームによって提供する景品が、写真シール作成装置１を利用した際に利用者が選んだ撮影コース（ナチュラル／パーフェクト）、および写真シール作成装置１が事後接客処理において利用者に入力させるなどにより取得し得た利用者の属性（年齢等）に応じて変わるようにしてもよい。なお、写真シール作成装置１を利用した際に利用者が選んだ撮影コースは、ＵＲＬ１として例示したようにアクセス要求に用いるＵＲＬに含まれ得る。また、利用者の属性などの情報は、写真シール作成装置１から管理サーバ４へ送られる利用者情報に含まれ得る。
【０２２０】
ミニゲームＧはルーレットに制限されず、「当たり」／「はずれ」のルールが明確な任意のゲームをミニゲームＧとして利用者に行わせてもよい。ミニゲームＧの結果が「はずれ」の場合には、図１７の（ｃ）に示すような画面表示を利用者に示し、ミニゲームＧの結果が「当たり」の場合には、図１７の（ｂ）に示すように、キャンペーンサイトが提供するウェブサービスを受け取るための住所などの個人情報を入力するページへのリンクＬを含む画面表示を利用者に示す。
【０２２１】
すなわち、管理サーバ４は、スマートフォン６からキャンペーンサイトのＵＲＬへのアクセス要求を受け付け、キャンペーンサイトのＵＲＬを用いたアクセス回数が所定の回数Ｎ以下である場合には、スマートフォン６のアクセス要求に対しキャンペーンサイトの利用（第１のウェブサービス）を提供し、キャンペーンサイトのＵＲＬを用いた上記アクセス回数が所定の回数Ｎより多い場合には、スマートフォン６のアクセス要求に対し、別のゲームを含むサイトの利用（第２のウェブサービス）を提供するウェブページ管理部４２２（ウェブサービス管理部）を備え得る。
【０２２２】
また、管理サーバ４は、スマートフォン６からキャンペーンサイトのＵＲＬへのアクセス要求を受け付け、キャンペーンサイトのＵＲＬを用いたアクセス回数が所定の回数Ｎ以下である場合には、スマートフォン６のアクセス要求を有効と判定し、キャンペーンサイトのＵＲＬを用いた上記アクセス回数が所定の回数Ｎより多い場合には、スマートフォン６のアクセス要求を無効と判定するウェブページ管理部４２２（ウェブサービス管理部）を備え得る。
【０２２３】
（キャンペーンサイトへのアクセス回数の制限方法）
図１４では、キャンペーンサイトへのアクセスの回数を制限する処理について示し、特にキャンペーンサイトのクッキーをスマートフォン６に対して送信する例について説明した。
【０２２４】
しかし、キャンペーンサイトへのアクセスの回数を制限する処理は、これに限定されない。例えば、初めてキャンペーンサイトへアクセスしたユーザに対して、サーバ側から自動的に識別コード（セッションＩＤ）を割り振り、この識別コードを使用して、アクセスしたスマートフォン６を特定することもできる。
【０２２５】
なお、前述のように、携帯電話機の個々を識別できるＵＩＤなどの携帯端末識別情報を、ユーザアクセス情報取得部４２３が取得することによる管理方法も有効である。
【０２２６】
管理サーバ４が携帯電話機から、キャンペーンサイトのＵＲＬを含むアクセス要求を受けた場合、ユーザアクセス情報取得部４２３は、携帯電話機に予め付与されている個別のスマートフォンを識別するＵＩＤなどの情報を取得する。アクセス履歴情報データベース４３３は、ユーザアクセス情報取得部４２３によって取得されたＵＩＤなどの情報を、該アクセス要求に含まれていたＵＲＬと対応付けて記憶する。このとき、過去に受信したアクセス要求からの累積アクセス回数を記憶するようにしてもよい。
【０２２７】
ウェブページ管理部４２２は、キャンペーンサイトのＵＲＬを用いたアクセス要求を受けると、ユーザアクセス情報取得部４２３が取得した当該アクセス要求を発信する携帯電話機のＵＩＤなどの情報が、上記アクセス履歴情報データベース４３３に既に記憶されているか否かを判定する。これにより、各アクセス要求を発信した携帯電話機の所有者を特定することができる。
【０２２８】
さらに、もしすでに記憶されているＵＩＤであった場合に、アクセス履歴情報データベース４３３に記憶されているこれまでのアクセス回数を参照することで、今回のアクセス要求が、何度目のアクセス要求なのかを判定することも可能である。
【０２２９】
（キャンペーンサイトへのアクセス権限の管理方法）
前述の、スマートフォン６のアクセス要求に含まれるキャンペーンサイトのクッキー、および携帯電話機のＵＩＤなどを用いて、キャンペーンサイトへのアクセスを管理する方法の他に、情報管理システム１００が行い得るキャンペーンサイトへのアクセス権限の管理方法について説明する。
【０２３０】
管理サーバ４は、受信したアクセス要求に含まれるＵＲＬが示すシールＩＤをウェブページ管理部４２２あるいはウェブページＵＲＬ生成部４２１が取得したシールＩＤをシールＩＤデータベース４３２に記憶する。
【０２３１】
ウェブページ管理部４２２は、スマートフォン６からのアクセス要求に含まれるＵＲＬが示すシールＩＤが、シールＩＤデータベース４３２に記憶されていない場合、アクセス回数に関わらず、該スマートフォン６から受信したアクセス要求を不正なアクセスと判定するようにしてもよい。これにより、写真シール作成装置１を用いて撮影を行っていない（キャンペーンサイトへのアクセス権限のない）者のスマートフォン６からの不正なアクセス要求を検出し、該アクセス要求を拒絶することができる。
【０２３２】
（Twitter（登録商標）の利用例）
ウェブページ管理部４２２は、利用者によるアクセス要求を承認して、キャンペーンサイトを提供すると判定した際に、キャンペーンサイトのページを表示させる前に、Twitter（登録商標）によるつぶやき処理が行われるように制御してもよい。この場合、ウェブページ管理部４２２は、まず、スマートフォン６に対して、Twitter用のＡＰＩによるログイン画面を表示させる。ここで、利用者によってTwitterのログイン情報が入力されると、該利用者によるつぶやきとして、キャンペーンサイトによるミニゲームをこれから開始する旨の投稿が行われる。この投稿内容は、定型文としてウェブページ管理部４２２が提供する。
【０２３３】
また、キャンペーンサイトによるミニゲームが終了し、何らかの商品の当選など、該ミニゲームが成功した場合にも、ウェブページ管理部４２２は、Twitterによるつぶやき処理が行われるように制御してもよい。この場合、ミニゲーム開始前に利用者によってTwitterのログイン情報が入力されている場合には、その情報を利用して、ウェブページ管理部４２２が、ミニゲームが成功した旨の投稿を行う。この投稿内容も、定型文としてウェブページ管理部４２２が提供する。なお、ミニゲームの成功の内容に応じて、投稿内容も変更されるようになっていてもよい。
【０２３４】
以上のように、キャンペーンサイトの利用に伴ってTwitterによるつぶやきが行われることによって、当該キャンペーンサイトの宣伝をTwitterを通して行うことが可能となる。よって、より広いユーザに対して、当該キャンペーンサイトの存在を知らしめることができる。
【０２３５】
〔ソフトウェアによる実現例〕
写真シール作成装置１の制御ブロック（特に制御部２０１）おとび管理サーバ４の管理部４２は、集積回路（ＩＣチップ）等に形成された論理回路（ハードウェア）によって実現してもよいし、ＣＰＵ（Central Processing Unit）を用いてソフトウェアによって実現してもよい。
【０２３６】
後者の場合、写真シール作成装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２３７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２３８】
なお、情報管理システム１００が、管理サーバ４と写真シール作成装置１とで構成される例について説明したが、写真シール作成装置１を含む構成に限定されない。例えば、情報管理システム１００は、公共の場に不特定多数の利用者に対して所望のデータを生成、加工して、提供するさまざまな装置を含み得る。
【０２３９】
（スマートフォン６）
序前述の実施例では、利用者の有する携帯端末をスマートフォン６である場合を例に挙げて説明したが、メールアドレスの送受信、ウェブサイトへのアクセスをインターネットを介して行う通信機能、表示部を備えている、スマートフォン、携帯電話機、ＰＤＡ、タブレットＰＣなどであってもよい。
【産業上の利用可能性】
【０２４０】
本発明は、特定のユーザに繰り返し利用させるウェブサイトへのアクセス制限を、サーバにおいて管理する情報管理システムとして広く利用できる。
【符号の説明】
【０２４１】
１  写真シール作成装置（画像提供装置）
４  管理サーバ
６  スマートフォン（携帯端末）
２１  撮影部
４１  通信部（クッキー生成部）
２０３  通信部
３０４  事後接客処理部（携帯端末アクセス情報取得部）
３０５  シールＩＤ発行部（撮影ＩＤ生成部）
４１１  受信部
４１２  メール送信部（通知部）
４２１  ウェブページＵＲＬ生成部（アクセス情報生成部）
４２２  ウェブページ管理部（ウェブサービス管理部）
４２３  ユーザアクセス情報取得部（携帯端末識別情報取得部）
４２４  クッキー生成部
４３２  シールＩＤデータベース（撮影ＩＤ記憶部）
４３３  アクセス履歴情報データベース（アクセス履歴情報記憶部）
Ｓ４０１  受信ステップ
Ｓ４０２  アクセス情報生成ステップ
Ｓ４０４  通知ステップ
Ｓ４０８  ウェブサービス管理ステップ
【図１】
2014167757.tif 000003
【図２】
2014167757.tif 000004
【図３】
2014167757.tif 000005
【図４】
2014167757.tif 000006
【図５】
2014167757.tif 000007
【図６】
2014167757.tif 000008
【図７】
2014167757.tif 000009
【図８】
2014167757.tif 000010
【図９】
2014167757.tif 000011
【図１０】
2014167757.tif 000012
【図１１】
2014167757.tif 000013
【図１２】
2014167757.tif 000014
【図１３】
2014167757.tif 000015
【図１４】
2014167757.tif 000016
【図１５】
2014167757.tif 000017
【図１６】
2014167757.tif 000018
【図１７】
2014167757.tif 000019
【図１８】
2014167757.tif 000020